(57)【要約】  Carrier aggregation時に上り回線データと応答信号とを同時に送信する場合でも、端末の消費電力を抑えつつ、上り回線データの品質を向上させることができる端末装置。Ｎ個（Ｎは、２以上の自然数）の下り単位バンドと上り単位バンドとからなる単位バンドグループを用いて基地局装置と通信する端末装置（２００）であって、制御部（２０８）は、上りデータと応答信号とを同一の送信単位時間内で送信する際、単位バンドグループのうち、第１の下り単位バンドにおいて上り割当制御情報のみを受信し、第１の下り単位バンドと異なる第２の下り単位バンドにおいて下り割当制御情報のみを受信した場合、第１の下り単位バンドで受信した上り割当制御情報が示す上りデータチャネルにおいて、上りデータ、及び、第２の下り単位バンドで受信した下り割当制御情報が示す下りデータチャネルで送信された下りデータに対する応答信号を時間多重して送信する。
2010143419.tif 000002
【特許請求の範囲】
【請求項１】
Ｎ個（Ｎは、２以上の自然数）の下り単位バンドと上り単位バンドとからなる単位バンドグループを用いて基地局装置と通信し、且つ、下り単位バンドに配置される下りデータの誤り検出結果に基づく応答信号を前記下り単位バンドに対応する上り単位バンドの上り制御チャネルで送信する端末装置であって、
前記Ｎ個の下り単位バンドの下り制御チャネルで送信された、上り割当制御情報及び下り割当制御情報を受信する制御情報受信手段と、
前記下り割当制御情報が示す下りデータチャネルで送信された下りデータを受信する下りデータ受信手段と、
前記上り割当制御情報が示す上りデータチャネルで上りデータを送信する上りデータ送信手段と、
前記上り割当制御情報及び前記下り割当制御情報に基づいて、前記応答信号の送信を制御する制御手段と、を具備し、
前記制御手段は、前記上りデータと前記応答信号とを同一の送信単位時間内で送信する際、前記単位バンドグループのうち、第１の下り単位バンドにおいて前記上り割当制御情報のみを受信し、前記第１の下り単位バンドと異なる第２の下り単位バンドにおいて前記下り割当制御情報のみを受信した場合、前記第１の下り単位バンドで受信した前記上り割当制御情報が示す前記上りデータチャネルにおいて、前記上りデータ、及び、前記第２の下り単位バンドで受信した前記下り割当制御情報が示す前記下りデータチャネルで送信された前記下りデータに対する前記応答信号を時間多重して送信する、
端末装置。
【請求項２】
前記制御手段は、さらに、前記上りデータと前記応答信号とを同一の送信単位時間内で送信する際、前記単位バンドグループのうち、前記第１の下り単位バンドにおいて、前記上り割当制御情報及び前記下り割当制御情報を受信し、前記第２の下り単位バンドにおいて、前記下り割当制御情報のみを受信した場合、前記第１の下り単位バンド及び前記第２の下り単位バンドでそれぞれ送信された複数の前記下りデータに対して生成された１つの束応答信号を、前記第１の下り単位バンドで受信した前記下り割当制御情報が送信された前記下り制御チャネルと対応付けられた上り制御チャネルを用いて送信する、
請求項１記載の端末装置。
【請求項３】
前記制御手段は、さらに、前記上りデータと前記応答信号とを同一の送信単位時間内で送信する際、前記単位バンドグループのうち、前記第１の下り単位バンドにおいて、前記上り割当制御情報及び前記下り割当制御情報を受信し、前記第２の下り単位バンドにおいて、前記下り割当制御情報のみを受信した場合、
前記第１の下り単位バンドで受信した前記上り割当制御情報が示す前記上りデータチャネルにおいて、前記上りデータ、及び、前記第２の下り単位バンドで受信した前記下り割当制御情報が示す前記下りデータチャネルで送信された前記下りデータに対する前記応答信号を時間多重して送信し、
前記第１の下り単位バンドで受信した前記下り割当制御情報が送信された前記下り制御チャネルと対応付けられた上り制御チャネル、及び、前記第１の下り単位バンドで受信した前記下り割当制御情報が示す前記上りデータチャネルを用いて、前記上りデータ、及び、前記第１の下り単位バンドで受信した前記下り割当制御情報が示す前記下りデータチャネルで送信された前記下りデータに対する前記応答信号を周波数多重して送信する、
請求項１記載の端末装置。
【請求項４】
単位バンドグループに含まれるＮ個（Ｎは、２以上の自然数）の下り単位バンドの下り制御チャネルで送信された、上り割当制御情報及び下り割当制御情報を受信する制御情報受信ステップと、
前記下り割当制御情報が示す下りデータチャネルで送信された下りデータを受信する下りデータ受信ステップと、
前記上り割当制御情報が示す上りデータチャネルで上りデータを送信する上りデータ送信ステップと、
前記上り割当制御情報及び前記下り割当制御情報に基づいて、前記応答信号の送信を制御する制御ステップと、を具備し、
前記制御ステップは、前記上りデータと前記応答信号とを同一の送信単位時間内で送信する際、前記単位バンドグループのうち、第１の下り単位バンドにおいて前記上り割当制御情報のみを受信し、前記第１の下り単位バンドと異なる第２の下り単位バンドにおいて前記下り割当制御情報のみを受信した場合、前記第１の下り単位バンドで受信した前記上り割当制御情報が示す前記上りデータチャネルにおいて、前記上りデータ、及び、前記第２の下り単位バンドで受信した前記下り割当制御情報が示す前記下りデータチャネルで送信された前記下りデータに対する前記応答信号が時間多重して送信される、
信号多重制御方法。
【発明の詳細な説明】
【技術分野】
【０００１】
本発明は、端末装置及び信号多重制御方法に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局が予め定められた通信リソースを用いて同期信号(Synchronization Channel：ＳＣＨ)及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ(例えば、周波数帯域幅など)を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ(Physical Downlink Control CHannel)を介して制御情報を送信する。【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号)のフィードバックには、ＰＵＣＣＨ(Physical Uplink Control Channel)等の上り回線制御チャネルが用いられる。そして、受信した応答信号がＮＡＣＫを示す場合には、基地局は、端末に対して再送データを送信する。【０００６】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００７】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。こうして下り回線の通信リソースが効率良く使用される。【０００８】
複数の端末から送信される複数の応答信号は、図１に示すように、時間軸上でZero Auto-correlation特性を持つＺＡＣ（Zero Auto-correlation）系列、ウォルシュ符号系列（Walsh code sequence）、及び、ＤＦＴ(Discrete Fourier Transform)系列によって拡散され、ＰＵＣＣＨ内でコード多重されている。図１において（Ｗ０,Ｗ１,Ｗ２,Ｗ３）は系列長４のウォルシュ符号系列を表わし、（Ｆ０,Ｆ１,Ｆ２）は系列長３のＤＦＴ系列を表す。図１に示すように、端末では、ＡＣＫまたはＮＡＣＫの応答信号が、まず周波数軸上でＺＡＣ系列（系列長１２）によって１次拡散される。次いで１次拡散後の応答信号、及び、参照信号としてのＺＡＣ系列がウォルシュ符号系列（系列長４：Ｗ０〜Ｗ３）、ＤＦＴ系列（系列長３：Ｆ０〜Ｆ３）それぞれに対応させられて２次拡散される。そして、２次拡散後の信号がさらにＩＦＦＴ（Inverse Fast Fourier Transform）によって時間軸上の系列長１２の信号に変換される。そして、ＩＦＦＴ後の信号それぞれに対してＣＰ（Cyclic Prefix）が付加され、７つのＳＣ−ＦＤＭＡシンボルからなる１スロットの信号が形成される。【０００９】
ここで、異なる端末からそれぞれ送信される応答信号間では、異なる巡回シフト量（Cyclic shift Index）または異なる直交符号系列（Orthogonal cover Index：OC Index）（すなわち、ウォルシュ符号系列とＤＦＴ系列の組）を用いて拡散されている。よって、基地局では、従来の逆拡散処理及び相関処理を用いることにより、これらのコード多重された複数の応答信号を分離することができる（非特許文献４参照）。【００１０】
また、３ＧＰＰ  ＬＴＥよりも更なる通信の高速化を実現する３ＧＰＰ  ＬＴＥ−Ａｄｖａｎｃｅｄの標準化が開始された。３ＧＰＰ  ＬＴＥ−Ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−Ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。【００１１】
ＬＴＥ−Ａシステムにおいては、ＬＴＥシステムにおける伝送速度の数倍もの超高速伝送速度による通信、及び、ＬＴＥシステムに対するバックワードコンパチビリティーを同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、または、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、または、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがある。【００１２】
そして、ＬＴＥ−Ａシステムでは、その単位バンドを幾つか束ねた帯域を用いた通信、所謂Carrier aggregationがサポートされる。ＬＴＥ−Ａシステムでは、任意のＬＴＥ−Ａシステム対応の端末（以下、「ＬＴＥ−Ａ端末」という）に対して設定される単位バンドの数が上りと下りで等しいCarrier aggregation、所謂Symmetric carrier aggregationと、任意のＬＴＥ−Ａ端末に対して設定される単位バンドの数が上りと下りで異なるCarrier aggregation、所謂Asymmetric carrier aggregationが検討されている。後者は、上りに対するスループット要求と下りに対するスループット要求が異なる場合に有用である。さらに、上りと下りで単位バンド数が非対称であり、且つ、各単位バンドの周波数帯域幅がそれぞれ異なる場合も、サポートされる見込みである。【００１３】
ところで、ＬＴＥシステム及びＬＴＥ−Ａシステムでは、基地局が上り回線データ及び下り回線データに対してそれぞれ独立にリソース割当を行う。そのため、ＬＴＥシステム及びＬＴＥ−Ａシステムでは、上り回線において、ＬＴＥ端末及びＬＴＥ−Ａ端末が、下り回線データに対する応答信号と、上り回線データとを同時に送信しなければならない状況が発生する。この状況では、端末からの応答信号及び上り回線データは、時間多重（Time Division Multiplexing：ＴＤＭ）または周波数多重（Frequency Division Multiplexing：ＦＤＭ）を用いて送信される。なお、ＬＴＥシステムでは、端末からの信号における送信波形のシングルキャリア特性（Single carrier properties）を維持するため、ＴＤＭのみが採択されている。【００１４】
時間多重（ＴＤＭ）では、端末から送信される応答信号は、上り回線データ向けに割り当てられたリソース（ＰＵＳＣＨリソース）の一部を占有して基地局に送信される。すなわち、ＰＵＳＣＨリソースでは、応答信号によって、上り回線データのうちの任意のデータがパンクチャ（puncture）される。このため、符号化後の上り回線データの任意のビットがパンクチャされることで、上り回線データの品質（例えば符号化利得）が大幅に劣化する。そのため、基地局は、例えば、端末に対して非常に低い符号化率を指示したり、非常に大きな送信電力を指示したりすることで、パンクチャによる上り回線データの品質劣化を補償する。【００１５】
これに対して、周波数多重（ＦＤＭ）では、端末から送信される応答信号は、下り回線データ向けのリソースを示す下り割当制御情報の送信に用いられたＬ１／Ｌ２ＣＣＨが占有するＣＣＥに対応付けられた、応答信号向けのリソース（ＰＵＣＣＨリソース）を用いて基地局に送信され、上り回線データはＰＵＳＣＨリソースに割り当てられて基地局に送信される。すなわち、端末は、応答信号及び上り回線データをＰＵＳＣＨリソースとＰＵＣＣＨリソースとにそれぞれ割り当てることにより、応答信号及び上り回線データを周波数多重する。周波数多重（ＦＤＭ）の場合、端末から送信される信号のシングルキャリア特性が劣化するものの、ＰＵＳＣＨリソースにおいて、応答信号による上り回線データのパンクチャが発生しないため、上り回線データの品質を維持することができる。【００１６】
更に、ＬＴＥ−Ａでは、応答信号の送信モードとして、次の２つのモードが検討されている。すなわち、第１のモードは、複数の下り単位バンドにおいて送信された複数の下り回線データに対して個別に応答信号を送信する、所謂Non-bundlingモードである。所謂Non-bundlingモードでは、複数の応答信号は、周波数又は符号の少なくとも一つが異なるリソースを割り当てられ、同時に送信される。Non-bundlingモードは、Multi-code送信モードと呼ばれることもある。また、第２のモードは、複数の下り単位バンドにおいて送信された複数の下り回線データに対する複数の応答信号を一つにまとめて(Bundlingして)送信する、所謂ＡＣＫ／ＮＡＣＫ Bundling(以下、単に「Bundling」と記す)である。Bundlingでは、端末が送信すべき複数のＡＣＫ／ＮＡＣＫ信号の論理積(つまり、Logical AND)を計算し、その計算結果を「束ＡＣＫ／ＮＡＣＫ信号（Bundled ＡＣＫ／ＮＡＣＫ信号、または束応答信号とも呼ぶ）」として基地局にフィードバックする。【００１７】
上記したCarrier aggregationが端末に適用される場合には、ＡＲＱは以下のように制御される。ここでは、例えば、端末に対して、下り単位バンド１，２及び上り単位バンド１，２から成る単位バンドグループが設定される場合について説明する。つまり、或る端末に設定された単位バンドグループを構成する下り単位バンドと上り単位バンドとが同数である、Symmetric carrier aggregation時について説明する。この場合、下り単位バンド１，２のそれぞれのＰＤＣＣＨで下り割当制御情報が基地局から端末へ送信された後に、その下り割当制御情報が示すリソースで下り回線データが送信される。【００１８】
そして、Bundlingモードでは、例えば、下り単位バンド１で送信された下り回線データに対するＡＣＫ／ＮＡＣＫ信号だけでなく、下り単位バンド２で送信された下り回線データに対するＡＣＫ／ＮＡＣＫ信号も、下り単位バンド１に対応する上り単位バンド１のＰＵＣＣＨで送信される。【００１９】
具体的には、端末が２つの下り回線データの両方の受信に成功した場合（ＣＲＣ＝ＯＫ）、端末は下り単位バンド１に対するＡＣＫ（=1）と、下り単位バンド２に対するＡＣＫ（=1）との論理積を計算し、その結果として「1」（つまりＡＣＫ）を束ＡＣＫ／ＮＡＣＫ信号として基地局に送信する。また、端末が下り単位バンド１における下り回線データの受信に成功し、且つ、下り単位バンド２における下り回線データの受信に失敗した場合には、端末は、下り単位バンドに対するＡＣＫ（=1）と、下り単位バンド２に対するＮＡＣＫ（=0）との論理積を計算し、「0」（つまり、ＮＡＣＫ）を束ＡＣＫ／ＮＡＣＫ信号として基地局に送信する。同様に、端末が下り回線データを２つとも受信に失敗した場合には、端末は、ＮＡＣＫ（=0）とＮＡＣＫ（=0）との論理積を計算し、「0」（つまり、ＮＡＣＫ）を束ＡＣＫ／ＮＡＣＫ信号として基地局に送信する。【００２０】
このように、Bundlingモードでは、端末は、自機に対して送信された複数の下り回線データの全ての受信に成功した場合のみ、ＡＣＫを一つだけ束ＡＣＫ／ＮＡＣＫ信号として基地局に送信する。これに対して、端末は、一つでも受信に失敗した場合には、ＮＡＣＫを一つだけ束ＡＣＫ／ＮＡＣＫ信号として基地局に送信することで、上り制御チャネルにおけるオーバーヘッドを削減できる。なお、端末側では、受信した複数の下り割当制御信号が占有していた複数のＣＣＥに対応するそれぞれのＰＵＣＣＨリソースのうち、例えば、最も周波数や識別番号（Index）が小さいＰＵＣＣＨリソースを用いて、束ＡＣＫ／ＮＡＣＫ信号を送信する。しかし、端末で一つでも下り回線データの受信に失敗すれば端末はＮＡＣＫを基地局に返すため、基地局は全てのデータを再送せざるを得ない。すなわち、Bundlingモードでは、上り制御チャネルにおけるオーバーヘッドを削減できるが、再送制御の柔軟性が低下してしまう。【００２１】
これに対し、Non-bundlingモードでは、複数の下り単位バンドでそれぞれ送信された下り回線データに対するＡＣＫ／ＮＡＣＫ信号は、個別に送信される。そのため、Non-bundlingモードでは、基地局は、端末が受信に失敗した下り回線データのみを再送すればよいため、下り回線データの再送効率を向上することができる。しかし、Non-bundlingモードでは、再送制御の柔軟性は高いものの、上り単位バンド毎にＡＣＫ／ＮＡＣＫ信号を送信するため、上り制御チャネルにおけるオーバーヘッドがBundlingモードと比較して大きくなってしまう。【００２２】
よって、基地局は、例えば、通信環境の状況に応じて、BundlingモードとNon-bundlingモードとを切り替え、フィードバックに要するオーバーヘッドの削減効果と、下り回線データの再送効率の向上効果との間のトレードオフを制御する。
【先行技術文献】
【非特許文献】
【００２３】
【非特許文献１】3GPP TS 36.211 V8.6.0, “Physical Channels and Modulation (Release 8),” March 2009
【非特許文献２】3GPP TS 36.212 V8.6.0, “Multiplexing and channel coding (Release 8),” March 2009
【非特許文献３】3GPP TS 36.213 V8.6.0, “Physical layer procedures (Release 8),”March 2009
【非特許文献４】Seigo Nakao, Tomofumi Takata, Daichi Imamura, and Katsuhiko Hiramatsu, “Performance enhancement of E-UTRA uplink control channel in fast fading environments,” Proceeding of IEEE VTC 2009 spring, April. 2009
【発明の概要】
【発明が解決しようとする課題】
【００２４】
上述したように、Carrier aggregation時にBundlingモードが適用される場合、図２に示すように、基地局は、各下り単位バンドにおいて、ＰＤＣＣＨに含まれるＬ１／Ｌ２ＣＣＨを用いて下り割当制御情報を送信するとともに、ＰＤＳＣＨ（Physical Downlink Shared Channel）を用いて下り回線データを送信する。そして、端末は、図２に示すように、各下り割当制御情報が占有していたＣＣＥにそれぞれ対応付けられた複数のＰＵＣＣＨリソースのうち一つのＰＵＣＣＨリソースを用いて（図２ではＰＵＣＣＨ１及びＰＵＣＣＨ２のうちＰＵＣＣＨ１に含まれるＰＵＣＣＨリソースを用いて）、束ＡＣＫ／ＮＡＣＫ信号を送信する。【００２５】
しかしながら、基地局から複数の下り割当制御情報が送信されても、端末では全ての下り割当制御情報の受信に成功するとは限らない。すなわち、端末での下り割当制御情報の受信成否に応じて、端末が応答信号の送信に使用すべきＰＵＣＣＨリソースは、例えば、図３Ａ〜図３Ｄに示すように変化する。ここでは、端末に対して、図２に示す下り単位バンド１，２及び上り単位バンド１，２からなる単位バンドグループが設定される。また、基地局は、図２に示す下り単位バンド１，２において、ＰＤＣＣＨを用いて下り割当制御情報を送信する。また、基地局は、上り単位バンド１を用いて束ＡＣＫ／ＮＡＣＫ信号を送信するように端末に予め指示する。【００２６】
図３Ａは、端末が下り単位バンド１，２の双方の下り割当制御情報の受信に成功した場合（以下、正常ケースという）の上り単位バンド１及び２を示す。図３Ａに示すように、端末は、各下り単位バンドの下り割当制御情報が示す下りデータチャネル（ＰＤＳＣＨ）で受信した下り回線データに対する応答信号をBundlingして、上り単位バンド１で束ＡＣＫ／ＮＡＣＫ信号を送信する。【００２７】
図３Ｂは、端末が下り単位バンド１の下り割当制御情報の受信に成功し、下り単位バンド２の下り割当制御情報の受信に失敗した場合（以下、エラーケース１という）の上り単位バンド１及び２を示す。図３Ｂに示すように、端末は、上り単位バンド１で束ＡＣＫ／ＮＡＣＫ信号を送信する。なお、端末は、図２に示す下り単位バンド１で送信された下り割当制御情報に含まれる、各下り単位バンドにおける下り割当制御情報の配置情報（Downlink Assignment Indicator：ＤＡＩ）に基づいて、下り単位バンド２で送信された下り割当制御情報の受信失敗を認識する。よって、図３Ｂに示すエラーケース１では、端末は、下り単位バンド１で送信された下り回線データに対する誤り検出結果に依らず、束ＡＣＫ／ＮＡＣＫ信号としてＮＡＣＫを送信する。【００２８】
図３Ｃは、端末が下り単位バンド１の下り割当制御情報の受信に失敗し、下り単位バンド２の下り割当制御情報の受信に成功した場合（以下、エラーケース２という）の上り単位バンド１及び２を示す。図３Ｃに示すように、端末は、上り単位バンド２で束ＡＣＫ／ＮＡＣＫ信号を送信する。なお、端末は、エラーケース１（図３Ｂ）と同様、下り単位バンド２で送信された下り割当制御情報に含まれるＤＡＩに基づいて、下り単位バンド１で送信された下り割当制御情報の受信失敗を認識し、束ＡＣＫ／ＮＡＣＫ信号としてＮＡＣＫを送信する。【００２９】
図３Ｄは、端末が下り単位バンド１，２の全ての下り割当制御情報の受信に失敗した場合（以下、エラーケース３という）の上り単位バンド１及び２を示す。この場合、端末は、自機向けの下り回線データの存在を把握できず、結果として、束ＡＣＫ／ＮＡＣＫ信号を送信しない。【００３０】
また、図３Ａ〜図３Ｄでは、上り単位バンド１のＰＵＣＣＨリソース（ＰＵＣＣＨ１）が使用されるか否かに基づいて、基地局は、下り単位バンド１で送信された制御情報が端末に受信されたか否かを判定（つまり、下り単位バンド１における制御情報のＤＴＸ判定）することができる。例えば、図３Ａ及び図３Ｂ（つまり、端末が下り単位バンド１の制御情報（下り割当制御情報）の受信に成功した場合）では、端末は上り単位バンド１のＰＵＣＣＨ１を用いて束ＡＣＫ／ＮＡＣＫ信号を送信する。一方、図３Ｃ及び図３Ｄ（つまり、端末が下り単位バンド１の制御情報（下り割当制御情報）の受信に失敗した場合）では、端末は上り単位バンド１のＰＵＣＣＨ１を用いない。そこで、基地局は、上り単位バンド１のＰＵＣＣＨ１が用いられているか否かに応じて、上り単位バンド１で送信された下り割当制御情報が端末に正常に受信されたか否かを判定する。これにより、基地局は、図３Ｃに示すエラーケース２（つまり、端末が上り単位バンド１から送信された下り割当制御情報の受信に失敗したこと）を判別することができる。【００３１】
ここで、上述したように、基地局が上り回線データ及び下り回線データに対してそれぞれ独立にリソース割当を行うため、図４に示すように、端末が、下り回線データに対する応答信号と、上り回線データとを同一サブフレーム（すなわち、同一の送信単位時間内）で同時に送信する場合がある。この場合、端末は、上り回線データ及び応答信号を、上述した時間多重（ＴＤＭ）または周波数多重（ＦＤＭ）を用いて多重することが考えられる。【００３２】
時間多重（ＴＤＭ）を用いる場合には、図５Ａ〜図５Ｃに示すように、束ＡＣＫ／ＮＡＣＫ信号が送信されるいずれのケースにおいても、端末側では、束ＡＣＫ／ＮＡＣＫ信号によって、上り回線データ（図５Ａ〜図５Ｃに示すＵＬ  ｄａｔａ）がパンクチャされるため、上り回線データの品質が劣化してしまう。また、図５Ａ〜図５Ｃに示すように、端末は、上り回線データと束ＡＣＫ／ＮＡＣＫ信号とを同一サブフレームで送信する際、ＰＵＣＣＨリソースを用いずに、ＰＵＳＣＨリソースを用いて束ＡＣＫ／ＮＡＣＫ信号を送信する。このため、基地局は、図４に示す下り単位バンド１における下り割当制御情報に対するＤＴＸ判定を行うことができなくなる。【００３３】
一方、周波数多重（ＦＤＭ）を用いる場合には、図６Ｃに示すエラーケース２では、端末は、上り回線データ（図６Ｃに示すＵＬ  ｄａｔａ）を上り単位バンド１で送信するのに対し、束ＡＣＫ／ＮＡＣＫ信号を、上り単位バンド２（ＰＵＣＣＨ２）で送信する。つまり、図６Ｃに示すエラーケース２では、上り回線データ及び束ＡＣＫ／ＮＡＣＫ信号を同一サブフレームで送信するためには、端末は、２つの上り単位バンド（例えば４０ＭＨｚ）を用いて信号を送信しなければならないため、端末の消費電力が増加してしまう。【００３４】
このように、Carrier aggregation時に上り回線データと応答信号とを同一サブフレームで送信する際、時間多重（ＴＤＭ）を用いると上り回線データの品質が劣化してしまい、周波数多重（ＦＤＭ）を用いると端末の消費電力が増加してしまう。【００３５】
本発明の目的は、Carrier aggregation時に上り回線データとＡＣＫ／ＮＡＣＫ信号とを同時に送信する場合でも、端末の消費電力を抑えつつ、上り回線データの品質を向上させることができる端末装置及び信号多重制御方法を提供することである。
【課題を解決するための手段】
【００３６】
本発明の端末装置は、Ｎ個（Ｎは、２以上の自然数）の下り単位バンドと上り単位バンドとからなる単位バンドグループを用いて基地局装置と通信し、且つ、下り単位バンドに配置される下りデータの誤り検出結果に基づく応答信号を前記下り単位バンドに対応する上り単位バンドの上り制御チャネルで送信する端末装置であって、前記Ｎ個の下り単位バンドの下り制御チャネルで送信された、上り割当制御情報及び下り割当制御情報を受信する制御情報受信手段と、前記下り割当制御情報が示す下りデータチャネルで送信された下りデータを受信する下りデータ受信手段と、前記上り割当制御情報が示す上りデータチャネルで上りデータを送信する上りデータ送信手段と、前記上り割当制御情報及び前記下り割当制御情報に基づいて、前記応答信号の送信を制御する制御手段と、を具備し、前記制御手段は、前記上りデータと前記応答信号とを同一の送信単位時間内で送信する際、前記単位バンドグループのうち、第１の下り単位バンドにおいて前記上り割当制御情報のみを受信し、前記第１の下り単位バンドと異なる第２の下り単位バンドにおいて前記下り割当制御情報のみを受信した場合、前記第１の下り単位バンドで受信した前記上り割当制御情報が示す前記上りデータチャネルにおいて、前記上りデータ、及び、前記第２の下り単位バンドで受信した前記下り割当制御情報が示す前記下りデータチャネルで送信された前記下りデータに対する前記応答信号を時間多重して送信する構成を採る。【００３７】
本発明の信号多重制御方法は、単位バンドグループに含まれるＮ個（Ｎは、２以上の自然数）の下り単位バンドの下り制御チャネルで送信された、上り割当制御情報及び下り割当制御情報を受信する制御情報受信ステップと、前記下り割当制御情報が示す下りデータチャネルで送信された下りデータを受信する下りデータ受信ステップと、前記上り割当制御情報が示す上りデータチャネルで上りデータを送信する上りデータ送信ステップと、前記上り割当制御情報及び前記下り割当制御情報に基づいて、前記応答信号の送信を制御する制御ステップと、を具備し、前記制御ステップは、前記上りデータと前記応答信号とを同一の送信単位時間内で送信する際、前記単位バンドグループのうち、第１の下り単位バンドにおいて前記上り割当制御情報のみを受信し、前記第１の下り単位バンドと異なる第２の下り単位バンドにおいて前記下り割当制御情報のみを受信した場合、前記第１の下り単位バンドで受信した前記上り割当制御情報が示す前記上りデータチャネルにおいて、前記上りデータ、及び、前記第２の下り単位バンドで受信した前記下り割当制御情報が示す前記下りデータチャネルで送信された前記下りデータに対する前記応答信号が時間多重して送信されるようにする。
【発明の効果】
【００３８】
本発明によれば、Carrier aggregation時に上り回線データと応答信号とを同時に送信する場合でも、端末の消費電力を抑えつつ、上り回線データの品質を向上させることができる端末装置及び信号送信制御方法を提供することできる。
【図面の簡単な説明】
【００３９】
【図１】応答信号及び参照信号の拡散方法を示す図
【図２】個別の端末に適用される対称のCarrier aggregationを示す図
【図３】Carrier aggregationが端末に適用される場合のＡＲＱ制御処理を示す図
【図４】個別の端末に適用される対称のCarrier aggregationを示す図
【図５】時間多重を用いた際のＡＲＱ制御処理を示す図
【図６】周波数多重を用いた際のＡＲＱ制御処理を示す図
【図７】本発明の実施の形態１に係る基地局の構成を示すブロック図
【図８】本発明の実施の形態１に係る端末の構成を示すブロック図
【図９】本発明に実施の形態１に係る端末の動作を示す図
【図１０】本発明の実施の形態１に係るその他の個別の端末に適用される対称のCarrier aggregationを示す図
【図１１】本発明の実施の形態１に係るその他の端末の動作を示す図
【図１２】本発明の実施の形態２に係る個別の端末に適用される対称のCarrier aggregationを示す図
【図１３】本発明に実施の形態２に係る端末の動作を示す図
【発明を実施するための形態】
【００４０】
以下、本発明の実施の形態について図面を参照して詳細に説明する。なお、各実施の形態において、同一の構成要素には同一の符号を付し、その説明は重複するので省略する。
【００４１】
（実施の形態１）
［通信システムの概要］
後述する基地局１００及び端末２００を含む通信システムでは、Ｎ（Ｎは、２以上の自然数）個の上り単位バンド及び当該Ｎ個の上り単位バンドと対応づけられたＮ個の下り単位バンドを使用した通信、つまり、端末２００独自の対称Carrier aggregationによる通信が行われる。このＮ個の上り単位バンド及びＮ個の下り単位バンドは、端末２００に対して設定された「単位バンドグループ」である。また、この通信システムには、端末２００と異なり、Carrier aggregationによる通信を行う能力が無く、１つの下り単位バンドとこれに対応づけられた１つの上り単位バンドによる通信（つまり、Carrier aggregationによらない通信）を行う端末も含まれている。
【００４２】
従って、基地局１００は、対称Carrier aggregationによる通信及びCarrier aggregationによらない通信の両方をサポートできるように構成されている。
【００４３】
また、基地局１００と端末２００との間でも、基地局１００による端末２００に対するリソース割当によっては、Carrier aggregationによらない通信が行われることも可能である。
【００４４】
また、この通信システムでは、Carrier aggregationによらない通信が行われる場合には、従来通りのＡＲＱが行われる一方、Carrier aggregationによる通信が行われる場合には、ＡＲＱにおいて応答信号のBundlingが採用される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Carrier aggregationによる通信を行う能力の無い端末は、例えば、ＬＴＥ端末である。
【００４５】
以下では、次の事項を前提として説明する。すなわち、基地局１００と端末２００の間で、端末２００独自の対称Carrier aggregationが予め構成されており、端末２００が用いるべき下り単位バンド及び上り単位バンドの情報が、基地局１００と端末２００との間で共有されている。
【００４６】
［基地局の構成］
図７は、本実施の形態に係る基地局１００の構成を示すブロック図である。基地局１００は、Ｎ個の下り単位バンドと上り単位バンドとからなる単位バンドグループを用いて端末と通信する。
【００４７】
図７に示す基地局１００において、制御部１０１は、リソース割当対象端末２００に対して、制御情報を送信するための下りリソース（つまり、下り制御情報割当リソース及び上り制御情報割当リソース）、及び、当該制御情報に含まれる、下り回線データを送信するための下りリソース（つまり、下りデータ割当リソース）及び上り回線データを送信するための上りリソース（つまり、上りデータ割当リソース）を割り当てる（Assignする）。このリソース割当は、リソース割当対象端末２００に設定（Configure）される単位バンドグループに含まれる下り単位バンド及び上り単位バンドにおいて行われる。また、下り制御情報割当リソース及び上り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択され、上りデータ割当リソースは、各上り単位バンドにおける上りデータチャネル（ＰＵＳＣＨ）に対応するリソース内で選択される。また、リソース割当対象端末２００が複数存在する場合には、制御部１０１は、リソース割当対象端末２００のそれぞれに異なるリソースを割り当てる。
【００４８】
下り制御情報割当リソース及び上り制御情報割当リソースは、上記したＬ１／Ｌ２ＣＣＨと同等である。すなわち、下り制御情報割当リソース及び上り制御情報割当リソースは、１つ又は複数のＣＣＥから構成される。また、下り制御情報割当リソースに含まれる各ＣＣＥは、上り制御チャネル（ＰＵＣＣＨ）の構成リソースと１対１に対応づけられている。ただし、ＣＣＥとＰＵＣＣＨ構成リソースとの関連付けは、ＬＴＥシステム向けに報知された下り単位バンドと上り単位バンドの関連付けにおいてなされる。
【００４９】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソース及び上り制御情報割当リソースが、制御部１０１によって割り当てられる。
【００５０】
そして、制御部１０１は、制御情報生成部１０２に対して、下りデータ割当リソース及び上りデータ割当リソースに関する情報を出力する。また、制御部１０１は、符号化部１０３に対して、制御情報を送信する際に用いる符号化率に関する情報を出力する。また、制御部１０１は、送信データ（つまり、下り回線データ）の符号化率を決定し、符号化部１０５に出力し、受信データ（つまり、上り回線データ）の符号化率を決定し、復調／復号部１２１に出力する。また、制御部１０１は、下りデータ割当リソース、下り制御情報割当リソース及び上り制御情報割当リソースに関する情報をマッピング部１０８に対して出力する。また、制御部１０１は、上りデータ割当リソースに関する情報、及び、下り制御情報割当リソースが占有するＣＣＥと関連付けられたＰＵＣＣＨリソースに関する情報を、ＰＵＣＣＨ／ＰＵＳＣＨ分離部１１４及び系列制御部１１６に出力する。また、制御部１０１は、端末が応答信号を送信すべき物理チャネルに関する情報（つまり、端末からの応答信号がＰＵＳＣＨまたはＰＵＣＣＨに含まれる可能性があるか否かを示す情報）を応答信号分離部１１９及び判定部１２２に出力する。ただし、制御部１０１は下り回線データと、当該下り回線データが用いる下りデータ割当リソースを通知する下り割当制御情報とを同一の下り単位バンドにマッピングするよう制御する。
【００５１】
制御情報生成部１０２は、下りデータ割当リソースを通知する制御情報及び上りデータ割当リソースを通知する制御情報を生成して符号化部１０３へ出力する。この制御情報は下り単位バンド毎、上り単位バンド毎に生成される。また、リソース割当対象端末２００が複数存在する場合には、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」及び「上り割当制御情報」と呼ばれることがある。
【００５２】
符号化部１０３は、制御部１０１から受け取る符号化率に従って、制御情報生成部１０２から入力される制御情報を符号化し、符号化した制御情報を変調部１０４へ出力する。
【００５３】
変調部１０４は、符号化後の制御情報を変調し、得られた変調信号をマッピング部１０８へ出力する。
【００５４】
符号化部１０５は、送信宛先端末２００毎の送信データ（つまり、下り回線データ）及び制御部１０１からの符号化率情報を入力として、送信データを符号化率情報の示す符号化率で符号化し、データ送信制御部１０６に出力する。ただし、送信宛先端末２００に対して複数の下り単位バンドが割り当てられる場合には、符号化部１０５は、各下り単位バンドで送信される送信データをそれぞれ符号化し、符号化後の送信データをデータ送信制御部１０６へ出力する。
【００５５】
データ送信制御部１０６は、初回送信時には、符号化後の送信データを保持するとともに符号化後の送信データを変調部１０７へ出力する。なお、符号化後の送信データは、送信宛先端末２００毎に保持される。また、１つの送信宛先端末２００への送信データは、送信される下り単位バンド毎に保持される。これにより、送信宛先端末２００に送信されるデータ全体の再送制御だけでなく、下り単位バンドごとの再送制御も可能になる。
【００５６】
また、データ送信制御部１０６は、再送制御信号生成部１２３から受け取る再送制御信号が再送命令を示す場合には、当該再送制御信号に対応する保持データを、変調部１０７へ出力する。また、データ送信制御部１０６は、再送制御信号生成部１２３から受け取る再送制御信号が再送しないことを示す場合には、当該再送制御信号に対応する保持データを削除する。この場合には、データ送信制御部１０６は、次の初回送信データを変調部１０７へ出力する。なお、端末２００からは、複数の送信データに関わる束ＡＣＫ／ＮＡＣＫ信号が送信されてくるので、再送命令を示す再送制御信号を受け取ると、データ送信制御部１０６は、その束ＡＣＫ／ＮＡＣＫ信号に関わる複数の保持データを全て変調部１０７へ出力する。
【００５７】
変調部１０７は、データ送信制御部１０６から受け取る符号化後の送信データを変調し、変調信号をマッピング部１０８へ出力する。
【００５８】
マッピング部１０８は、制御部１０１から受け取る下り制御情報割当リソース及び上り制御情報割当リソースの示すリソース（ＰＤＣＣＨ内のリソース）に、変調部１０４から受け取る制御情報の変調信号（下り割当制御情報または上り割当制御情報）をマッピングし、ＩＦＦＴ部１０９へ出力する。
【００５９】
また、マッピング部１０８は、制御部１０１から受け取る下りデータ割当リソースの示すリソース（ＰＤＳＣＨ内のリソース）に、変調部１０７から受け取る送信データの変調信号（下り回線データ）をマッピングし、ＩＦＦＴ部１０９へ出力する。
【００６０】
マッピング部１０８にて複数の下り単位バンドにおける複数のサブキャリアにマッピングされた制御情報及び送信データ（下り回線データ）は、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅及びアップコンバート等の送信処理が施され、アンテナを介して端末２００へ送信される。これにより、Ｎ個の下り単位バンドの下り制御チャネルで、上り割当制御情報及び下り割当制御情報が送信され、かつ、下り割当制御情報が示す下りデータチャネルで下り回線データが送信される。
【００６１】
無線受信部１１２は、端末２００から送信された、上り制御チャネル信号（ＰＵＣＣＨ信号）または上りデータチャネル信号（ＰＵＳＣＨ信号）を含む信号をアンテナを介して受信し、受信信号に対しダウンコンバート、Ａ／Ｄ変換等の受信処理を行う。なお、ＰＵＣＣＨ信号には、応答信号のみが含まれる。また、ＰＵＳＣＨ信号には、上り回線データが含まれる。ただし、端末２００で応答信号と上り回線データとが時間多重（ＴＤＭ）される際には、ＰＵＳＣＨ信号には、上り回線データ及び応答信号の双方が含まれる。
【００６２】
ＣＰ除去部１１３は、受信処理後の受信信号に付加されているＣＰを除去する。
【００６３】
ＰＵＣＣＨ／ＰＵＳＣＨ分離部１１４は、制御部１０１からの指示に従って、ＦＦＴ（Fast Fourier Transform）処理により、受信信号に含まれるＰＵＳＣＨ信号とＰＵＣＣＨ信号とを周波数軸上で分離する。そして、ＰＵＣＣＨ／ＰＵＳＣＨ分離部１１４は、抽出したＰＵＣＣＨ信号（応答信号のみを含む信号）の周波数成分を逆拡散部１１５に出力し、抽出したＰＵＳＣＨ信号（上り回線データのみを含む信号、または、上り回線データ及び応答信号の双方を含む信号）の周波数成分をＩＤＦＴ（Inverse Discrete Fourier Transform）部１１８に出力する。
【００６４】
逆拡散部１１５及び相関処理部１１７は、端末２００が用いた上り単位バンドから抽出されたＰＵＣＣＨ信号に対して処理を行う。
【００６５】
具体的には、逆拡散部１１５は、端末２００からの応答信号向けのＰＵＣＣＨリソースに対応する直交符号系列を用いて、ＰＵＣＣＨ／ＰＵＳＣＨ分離部１１４から入力される、ＰＵＣＣＨ信号に対応する周波数軸上の信号（Frequency domain signal）を逆拡散し、逆拡散後の信号を相関処理部１１７に出力する。
【００６６】
系列制御部１１６は、制御部１０１からの指示に従って、端末２００から送信される応答信号向けのＰＵＣＣＨリソースに対応するＺＡＣ系列を生成する。また、系列制御部１１６は、生成したＺＡＣ系列に基づいて、端末２００からの応答信号成分が含まれる相関窓を特定する。そして、系列制御部１１６は、特定した相関窓を示す情報及び生成したＺＡＣ系列を相関処理部１１７に出力する。
【００６７】
相関処理部１１７は、系列制御部１１６から入力される相関窓を示す情報及びＺＡＣ系列を用いて、逆拡散部１１５から入力される逆拡散後の信号と、ＺＡＣ系列との相関値を周波数軸上で求めて判定部１２２に出力する。すなわち、相関処理部１１７は、ＰＵＣＣＨ信号に含まれる、端末２００からの応答信号向けのＰＵＣＣＨリソースに対応する信号成分を抽出して判定部１２２に出力する。
【００６８】
ＩＤＦＴ部１１８は、ＰＵＣＣＨ／ＰＵＳＣＨ分離部１１４から入力されるＰＵＳＣＨ信号の周波数成分に対してＩＤＦＴ処理を施すことにより、ＰＵＳＣＨ信号を時間軸上の信号に変換する。
【００６９】
応答信号分離部１１９は、制御部１０１からの指示に従って、ＩＤＦＴ部１１８から入力される時間軸上のＰＵＳＣＨ信号から、応答信号が含まれる可能性がある信号成分と、上り回線データが含まれる信号成分とを時間軸上で分離する。そして、応答信号分離部１１９は、応答信号が含まれる信号成分を逆拡散部１２０に出力し、上り回線データが含まれる信号成分を復調／復号部１２１に出力する。
【００７０】
逆拡散部１２０は、応答信号分離部１１９から入力される、応答信号に対応する信号成分を、予め決められた系列で逆拡散して、逆拡散後の信号（すなわち、応答信号に対応する信号成分と、予め決められた系列との相関値）を判定部１２２に出力する。
【００７１】
復調／復号部１２１は、制御部１０１から入力される上り回線データに対応する符号化率を用いて、応答信号分離部１１９から入力される、上り回線データが含まれる信号成分を復調・復号し、受信データとして出力する。
【００７２】
判定部１２２は、制御部１０１からの指示に従って、下り回線データの誤り検出結果に基づく応答信号が、下り割当制御情報が送信された下り単位バンドに対応する上り単位バンドの上り制御チャネル（ＰＵＣＣＨリソース）、または、上り割当制御情報が示す上りデータチャネル（ＰＵＳＣＨリソース）に含まれるか否かを判定する。
【００７３】
具体的には、判定部１２２は、相関処理部１１７から入力される相関値に基づいて、端末２００からＰＵＣＣＨリソースを用いて応答信号が送信されているか否かを判定する。すなわち、判定部１２２は、相関処理部１１７から入力される相関値の大きさがある一定の閾値以下であれば、端末２００はＰＵＣＣＨリソースを用いて応答信号を送信していないと判定する。この場合、判定部１２２は、「ＰＵＣＣＨリソースの応答信号に対するＤＴＸ」を示す情報を再送制御信号生成部１２３に出力する。一方、判定部１２２は、相関処理部１１７から入力される相関値の大きさがある一定の閾値より大きい場合、端末２００はＰＵＣＣＨリソースを用いて応答信号を送信していると判定する。この場合、判定部１２２は、更に応答信号がＡＣＫまたはＮＡＣＫのいずれを示しているかを、例えば同期検波によって判定する。そして、判定部１２２は、判定結果（ＡＣＫまたはＮＡＣＫ）を再送制御信号生成部１２３へ出力する。
【００７４】
また、判定部１２２は、逆拡散部１２０から入力される逆拡散後の信号に基づいて、端末２００からＰＵＳＣＨリソースを用いて応答信号が送信されているか否かを判定する。すなわち、判定部１２２は、逆拡散部１２０から入力される逆拡散後の信号の大きさが、ある一定の閾値以下であれば、端末２００はＰＵＳＣＨリソースを用いて応答信号を送信していないと判定する。この場合、判定部１２２は、「ＰＵＳＣＨリソースの応答信号に対するＤＴＸ」を示す情報を再送制御信号生成部１２３に出力する。一方、判定部１２２は、逆拡散部１２０から入力される信号の大きさがある一定の閾値より大きい場合、端末２００はＰＵＳＣＨリソースを用いて応答信号を送信していると判定する。この場合、判定部１２２は、更に応答信号がＡＣＫまたはＮＡＣＫのいずれを示しているかを、例えば同期検波によって判定する。そして、判定部１２２は、判定結果（ＡＣＫまたはＮＡＣＫ）を再送制御信号生成部１２３へ出力する。
【００７５】
再送制御信号生成部１２３は、判定部１２２から入力される応答信号に関する判定結果（ＡＣＫまたはＮＡＣＫ）またはＤＴＸを示す情報に基づいて、各下り単位バンドで送信したデータ（下り回線データ）を再送すべきか否かを判定し、判定結果に基づいて再送制御信号を生成する。具体的には、再送制御信号生成部１２３は、ＮＡＣＫを示す応答信号またはＤＴＸを受け取る場合には、再送命令を示す再送制御信号を生成して、再送制御信号をデータ送信制御部１０６へ出力する。また、再送制御信号生成部１２３は、ＡＣＫを示す応答信号を受け取る場合には、再送しないことを示す再送制御信号を生成して、再送制御信号をデータ送信制御部１０６へ出力する。
【００７６】
［端末の構成］
図８は、本実施の形態に係る端末２００の構成を示すブロック図である。端末２００は、Ｎ個の下り単位バンドと上り単位バンドとからなる単位バンドグループを用いて基地局１００と通信し、且つ、下り単位バンドに配置される下り回線データの誤り検出結果に基づく応答信号を下り単位バンドに対応する上り単位バンドの上り制御チャネルで送信する。
【００７７】
図８に示す端末２００において、無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。なお、受信ＯＦＤＭ信号には、ＰＤＳＣＨ信号またはＰＤＣＣＨ信号が含まれる。すなわち、Ｎ個の下り単位バンドの下り制御チャネルで送信された、上り割当制御情報及び下り割当制御情報が受信され、下り割当制御情報が示す下りデータチャネルで送信された下り回線データが受信される。
【００７８】
ＣＰ除去部２０２は、受信処理後のＯＦＤＭ信号に付加されているＣＰを除去する。
【００７９】
ＦＦＴ部２０３は、受信ＯＦＤＭ信号をＦＦＴして周波数領域信号に変換し、得られた受信信号を抽出部２０４へ出力する。
【００８０】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００８１】
また、抽出部２０４は、判定部２０７から受け取る自機宛の下りデータ割当リソースに関する情報に基づいて、受信信号から下り回線データ（下りデータチャネル信号（ＰＤＳＣＨ信号））を抽出し、復調部２０９へ出力する。
【００８２】
復調部２０５は、抽出部２０４から受け取る下り制御チャネル信号を復調し、得られた復調結果を復号部２０６に出力する。
【００８３】
復号部２０６は、入力される符号化率情報に従って、復調部２０５から受け取る復調結果を復号して、得られた復号結果を判定部２０７に出力する。
【００８４】
判定部２０７は、復号部２０６から受け取る復号結果に含まれる制御情報が自機宛の制御情報であるか否かをブラインド判定する。この判定は、上記した抽出単位に対応する復号結果を単位として行われる。例えば、判定部２０７は、自機の端末ＩＤでＣＲＣビットをデマスキングし、ＣＲＣ＝ＯＫ（誤り無し）となった制御情報を自機宛の制御情報であると判定する。そして、判定部２０７は、自機宛の下り割当制御情報に含まれる、自機に対する下りデータ割当リソースに関する情報を抽出部２０４へ出力する。また、判定部２０７は、自機宛ての上り割当制御情報を制御部２０８へ出力する。
【００８５】
また、判定部２０７は、自機宛の下り割当制御情報がマッピングされていた下り単位バンド、及び、当該下り単位バンドにおいて自機宛の下り割当制御情報がマッピングされていたＣＣＥを特定し、特定した下り単位バンドの識別情報及びＣＣＥの識別情報を制御部２０８へ出力する。
【００８６】
制御部２０８は、判定部２０７から受け取る下り単位バンドの識別情報が示す下り単位バンドのペアとなる上り単位バンド、及び、ＣＣＥの識別情報が示すＣＣＥに対応するＰＵＣＣＨリソース(周波数・符号)を特定する。また、制御部２０８は、判定部２０７から受け取る上り割当制御情報に含まれる、自機に対する上りデータ割当リソースに関する情報に基づいて、上り回線データの送信に用いるＰＵＳＣＨリソース（上り単位バンド番号及び単位バンドにおける周波数位置）を特定する。そして、制御部２０８は、特定したＰＵＳＣＨリソースをＰＵＣＣＨ／ＰＵＳＣＨ多重部２２２に出力する。また、制御部２０８は、上り割当制御情報に基づいて、上り回線データの符号化率及び変調方式を特定し、特定した符号化率及び変調方式を符号化／変調部２１９に出力する。
【００８７】
また、制御部２０８は、上り回線データの送信に用いるＰＵＳＣＨリソース、及び、下り回線データに対する応答信号の送信に用いるＰＵＣＣＨリソースが同一サブフレームの同一上り単位バンド内に存在する場合には、上り回線データ及び応答信号を周波数軸上で多重（ＦＤＭ）するように、応答信号／データ多重部２２０及びＰＵＣＣＨ／ＰＵＳＣＨ多重部２２２に指示する。一方、制御部２０８は、上り回線データの送信に用いるＰＵＳＣＨリソース、及び、下り回線データに対する応答信号の送信に用いるＰＵＣＣＨリソースが同一サブフレームの同一上り単位バンド内に存在しない場合には、ＰＵＣＣＨリソースを用いずに、ＰＵＳＣＨリソースにおいて、上り回線データ及び応答信号を時間軸上で多重（ＴＤＭ）するように、応答信号／データ多重部２２０及びＰＵＣＣＨ／ＰＵＳＣＨ多重部２２２に指示する。
【００８８】
そして、制御部２０８は、ＰＵＣＣＨリソースが用いられる上り単位バンドにおいて、ＰＵＣＣＨリソースに対応するＺＡＣ系列及び循環シフト量を、上り制御チャネル信号生成部２１３の１次拡散部２１５へ出力し、周波数リソース情報をＰＵＣＣＨ／ＰＵＳＣＨ多重部２２２に出力する。また、制御部２０８は、ＰＵＣＣＨリソースに対応する２次拡散に用いるべき直交符号系列（すなわち、ウォルシュ符号系列及びＤＦＴ系列）を上り制御チャネル信号生成部２１３の２次拡散部２１６へ出力する。また、制御部２０８は、自機宛ての制御情報がマッピングされていた下り単位バンドの識別情報を、ＡＣＫ／ＮＡＣＫ制御部２１２に出力する。
【００８９】
復調部２０９は、抽出部２０４から受け取る下り回線データを復調し、復調後の下り回線データを復号部２１０へ出力する。
【００９０】
復号部２１０は、復調部２０９から受け取る下り回線データを復号し、復号後の下り回線データをＣＲＣ部２１１へ出力する。
【００９１】
ＣＲＣ部２１１は、復号部２１０から受け取る復号後の下り回線データを生成し、ＣＲＣを用いて下り単位バンド毎に誤り検出し、ＣＲＣ＝ＯＫ（誤り無し）の場合にはＡＣＫを、ＣＲＣ＝ＮＧ（誤り有り）の場合にはＮＡＣＫを、ＡＣＫ／ＮＡＣＫ制御部２１２へ出力する。また、ＣＲＣ部２１１は、ＣＲＣ＝ＯＫ（誤り無し）の場合には、復号後の下り回線データを受信データとして出力する。
【００９２】
ＡＣＫ／ＮＡＣＫ制御部２１２は、自機に設定された単位バンドグループに含まれる各下り単位バンドで送信された下り回線データの受信状況に基づいて、自機が基地局１００へ送信すべき応答信号を生成する。
【００９３】
具体的には、ＡＣＫ／ＮＡＣＫ制御部２１２は、制御部２０８から入力される下り単位バンドの識別情報、及び、下り回線データの受信成否に基づいて、応答信号として束ＡＣＫ／ＮＡＣＫ信号を生成する。より詳細には、基地局１００が送信した複数の下り回線データに対応する下り割当制御情報を全て受信した場合には、ＡＣＫ／ＮＡＣＫ制御部２１２は、複数の下り回線データに対する応答信号の論理積を求めることにより束ＡＣＫ／ＮＡＣＫ信号を生成する。また、基地局１００が送信した複数の下り回線データに対する下り割当制御情報のいずれか一つでも受信していない場合には、ＡＣＫ／ＮＡＣＫ制御部２１２は、束ＡＣＫ／ＮＡＣＫ信号として、受信した下り回線データに対する応答信号と、下り割当制御情報の受信失敗を示すＮＡＣＫとの論理積、すなわち、ＮＡＣＫを生成する。ＡＣＫ／ＮＡＣＫ制御部２１２は、この束ＡＣＫ／ＮＡＣＫ信号を、上り制御チャネル信号生成部２１３の変調部２１４、及び、変調部２１７へ出力する。
【００９４】
上り制御チャネル信号生成部２１３は、ＡＣＫ／ＮＡＣＫ制御部２１２から受け取る応答信号（束ＡＣＫ／ＮＡＣＫ信号）を用いて、上り単位バンドで送信される上り制御チャネル信号を生成する。具体的には、上り制御チャネル信号生成部２１３は、変調部２１４、１次拡散部２１５及び２次拡散部２１６を有する。
【００９５】
変調部２１４は、ＡＣＫ／ＮＡＣＫ制御部２１２から入力される応答信号（束ＡＣＫ／ＮＡＣＫ信号）を変調して１次拡散部２１５へ出力する。
【００９６】
１次拡散部２１５は、制御部２０８によって設定されたＺＡＣ系列及び循環シフト量に基づいて応答信号を１次拡散し、１次拡散後の応答信号を２次拡散部２１６へ出力する。すなわち、１次拡散部２１５は、制御部２０８からの指示に従って、応答信号を１次拡散する。
【００９７】
２次拡散部２１６は、制御部２０８によって設定された直交符号系列を用いて応答信号を２次拡散し、２次拡散後の応答信号を周波数軸上の波形（Frequency domain signal）として、ＰＵＣＣＨ／ＰＵＳＣＨ多重部２２２に出力する。つまり、２次拡散部２１６は、１次拡散後の応答信号を制御部２０８で選択されたリソースに対応する直交符号系列を用いて２次拡散し、周波数軸上のＰＵＣＣＨ成分（すなわち、周波数軸上のＰＵＣＣＨ信号）をＰＵＣＣＨ／ＰＵＳＣＨ多重部２２２に出力する。
【００９８】
一方、変調部２１７は、ＡＣＫ／ＮＡＣＫ制御部２１２から入力される応答信号（束ＡＣＫ／ＮＡＣＫ信号）を変調して拡散部２１８へ出力する。
【００９９】
拡散部２１８は、変調部２１７から入力される変調後の応答信号を拡散し、拡散後の応答信号を時間軸上の波形（Time domain signal）として、応答信号／データ多重部２２０に出力する。
【０１００】
符号化／変調部２１９は、制御部２０８から指示される符号化率及び変調方式を用いて、送信データ（すなわち、上り回線データ）の符号化処理及び変調処理を行い、変調後の信号を時間軸上の波形として、応答信号／データ多重部２２０に出力する。
【０１０１】
応答信号／データ多重部２２０は、制御部２０８からの指示に従って、符号化／変調部２１９から入力される上り回線データと、拡散部２１８から入力される応答信号とを時間軸上で多重するか否かを決定する。具体的には、応答信号／データ多重部２２０は、上り回線データと応答信号とを時間軸上で多重するように、制御部２０８から指示された場合、符号化／変調部２１９から入力される上り回線データと、拡散部２１８から入力される応答信号を時間軸上で多重し、多重後の信号をＤＦＴ部２２１へ出力する。また、応答信号／データ多重部２２０は、上り回線データと応答信号とを時間軸上で多重しないように、制御部２０８から指示された場合には、符号化／変調部２１９から入力される上り回線データのみをＤＦＴ部２２１へ出力する（すなわち、上り回線データと応答信号とを時間軸上で多重しない）。
【０１０２】
ＤＦＴ部２２１は、応答信号／データ多重部２２０から入力される時間軸上の信号（すなわち、時間軸上のＰＵＳＣＨ信号）を、ＤＦＴ処理により、周波数軸上の信号（すなわち、周波数軸上のＰＵＳＣＨ信号）に変換し、周波数軸上のＰＵＳＣＨ信号をＰＵＣＣＨ／ＰＵＳＣＨ多重部２２２に出力する。
【０１０３】
ＰＵＣＣＨ／ＰＵＳＣＨ多重部２２２は、２次拡散部２１６から入力されるＰＵＣＣＨ信号とＤＦＴ部２２１から入力されるＰＵＳＣＨ信号とを周波数軸上で多重するか否かを決定する。具体的には、ＰＵＣＣＨ／ＰＵＳＣＨ多重部２２２は、ＰＵＣＣＨ信号とＰＵＳＣＨ信号とを周波数軸上で多重するように、制御部２０８から指示された場合、ＰＵＣＣＨ信号及びＰＵＳＣＨ信号に対してまとめてＩＦＦＴ処理を施して（すなわち、周波数軸上で多重して）、ＩＦＦＴ処理後の信号をＣＰ付加部２２３に出力する。一方、ＰＵＣＣＨ／ＰＵＳＣＨ多重部２２２は、ＰＵＣＣＨ信号とＰＵＳＣＨ信号とを周波数軸上で多重しないように、制御部２０８から指示された場合、ＰＵＳＣＨ信号のみにＩＦＦＴ処理を施して（すなわち、ＰＵＣＣＨ信号とＰＵＳＣＨ信号とを周波数軸上で多重せずに）、ＩＦＦＴ処理後のＰＵＳＣＨ信号（時間軸上のＰＵＳＣＨ信号）をＣＰ付加部２２３に出力する。
【０１０４】
なお、ＰＵＣＣＨ／ＰＵＳＣＨ多重部２２２は、制御部２０８からの指示がない場合（つまり、ＰＵＣＣＨ信号とＰＵＳＣＨ信号とが同一フレームで同時に送信されない場合）には、ＰＵＣＣＨ信号またはＰＵＳＣＨ信号を、制御部２０８から入力されるリソース情報に基づいて周波数軸上に配置してＩＦＦＴ処理を施す。
【０１０５】
ＣＰ付加部２２３は、ＩＦＦＴ後の時間軸上の信号の後尾部分と同じ信号をＣＰとしてその信号の先頭に付加する。
【０１０６】
無線送信部２２４は、ＣＰ付加部２２３から受け取る信号に対しＤ／Ａ変換、増幅及びアップコンバート等の送信処理を行い、送信処理後の信号をアンテナから基地局１００へ送信する。これにより、上り割当制御情報が示す上りデータチャネルで上り回線データが送信される。
【０１０７】
次に、端末２００の動作について説明する。以下の説明では、図４に示すように、端末２００に対しては、下り単位バンド１及び２の２つの下り単位バンド、及び、上り単位バンド１及び２の２つの上り単位バンドから構成される、対称の単位バンドグループが設定されている。そして、基地局１００は、下り単位バンド１及び２において上り割当制御情報、下り割当制御情報及び下り回線データをそれぞれ送信する。ここでは、端末２００は、図４に示す下り単位バンドのＰＤＣＣＨ１内のリソースを用いて送信された上り割当制御情報を正常に受信する。つまり、端末２００は、上り回線データ（図４に示すＵＬ  ｄａｔａ）を含むＰＵＳＣＨ信号の送信に用いる上りデータチャネル（図４に示す上り単位バンド１のＰＵＳＣＨリソース）を特定している。また、端末２００が２つの下り単位バンド１及び２で下り割当制御情報を受信した場合（つまり、正常ケース）の束ＡＣＫ／ＮＡＣＫ信号の送信に用いるべき上り単位バンドとして、図４に示す上り単位バンド１が設定されている。また、図４に示す下り単位バンド１のＰＤＣＣＨ１を構成する複数のＣＣＥは、上り単位バンド１のＰＵＣＣＨ１の構成リソースとそれぞれ対応付けられており、図４に示す下り単位バンド２のＰＤＣＣＨ２を構成する複数のＣＣＥは、上り単位バンド２のＰＵＣＣＨ２の構成リソースとそれぞれ対応付けられている。
【０１０８】
以下、図４に示す下り単位バンド１のＰＤＣＣＨ１及び下り単位バンド２のＰＤＣＣＨ２でそれぞれ送信された、下り割当制御情報の受信成否に応じた端末２００における応答信号多重制御処理の詳細な動作について、図３Ａ〜図３Ｄと同様、正常ケース及びエラーケース１〜３を示す図９Ａ〜図９Ｄを用いて説明する。
【０１０９】
以下の説明では、図９Ａ〜図９Ｄに示すように、端末２００の制御部２０８は、図４に示す下り単位バンド１のＰＤＣＣＨ１で正常に受信した上り割当制御情報に含まれる、自機に対する上りデータ割当リソースに関する情報に基づいて、上り単位バンド１のＰＵＳＣＨ内のリソースを、上り回線データの送信に用いるリソースとして特定する。
【０１１０】
＜正常ケース（図９Ａ）：端末２００が２つの下り単位バンドで送信された下り割当制御情報を受信した場合＞
【０１１１】
端末２００において、ＡＣＫ／ＮＡＣＫ制御部２１２は、ＣＲＣ部２１１から入力される、下り単位バンド１及び２で受信した下り回線データに対する各誤り検出結果（「ＡＣＫ」または「ＮＡＣＫ」）に基づいて、束ＡＣＫ／ＮＡＣＫ信号（下り単位バンド１で受信した下り回線データに対する応答信号と、下り単位バンド２で受信した下り回線データに対する応答信号との論理積）を生成する。
【０１１２】
また、制御部２０８は、図４に示す単位バンドグループにおいて自機宛ての下り割当制御情報がマッピングされていた下り単位バンド１及び２とそれぞれペアを構成する上り単位バンド１及び２、及び、下り割当制御情報がマッピングされていたＣＣＥに対応するＰＵＣＣＨリソースを特定する。また、図９Ａでは、自機が２つの下り単位バンド１及び２で下り回線データを受信したため、制御部２０８は、特定したＰＵＣＣＨ１及びＰＵＣＣＨ２の構成リソースうち、束ＡＣＫ／ＮＡＣＫ信号の送信用に予め設定された上り単位バンド１のＰＵＣＣＨ１の構成リソースを、束ＡＣＫ／ＮＡＣＫ信号の送信に用いるべきＰＵＣＣＨリソースとして特定する。
【０１１３】
すなわち、図９Ａでは、端末２００は、まず、上り割当制御情報及び下り割当制御情報に基づいて、上り回線データの送信に用いるべき上り単位バンドとして、上り単位バンド１を特定し、束ＡＣＫ／ＮＡＣＫ信号の送信に用いるべき上り単位バンドとして、上り単位バンド１を特定する。つまり、図９Ａでは、端末２００が上り回線データと束ＡＣＫ／ＮＡＣＫ信号とを同一サブフレームで送信する際、上り回線データの送信に用いるべき上り単位バンドと、束ＡＣＫ／ＮＡＣＫ信号の送信に用いるべき上り単位バンドとが同一（上り単位バンド１）となる。
【０１１４】
そこで、制御部２０８は、上り回線データ及び束ＡＣＫ／ＮＡＣＫ信号を、周波数軸上で多重（ＦＤＭ）して同一サブフレームで送信するように制御する。
【０１１５】
具体的には、制御部２０８は、応答信号／データ多重部２２０に対して、上り回線データと束ＡＣＫ／ＮＡＣＫ信号とを時間多重（ＴＤＭ）しないように指示する。これにより、ＰＵＣＣＨ／ＰＵＳＣＨ多重部２２２には、束ＡＣＫ／ＮＡＣＫ信号を含まないで、上り回線データのみを含むＰＵＳＣＨ信号が入力される。
【０１１６】
また、制御部２０８は、上り制御チャネル信号生成部２１３の１次拡散部２１５及び２次拡散部２１６に対して、下り単位バンド１で受信した下り割当制御情報が占有していたＣＣＥと関連付けられたＰＵＣＣＨリソース（ＰＵＣＣＨ１の構成リソース）に対応する、ＺＡＣ系列及び直交符号系列をそれぞれ指示する。
【０１１７】
そして、制御部２０８は、ＰＵＣＣＨ／ＰＵＳＣＨ多重部２２２に対して、２次拡散部２１６から入力されるＰＵＣＣＨ信号（束ＡＣＫ／ＮＡＣＫ信号を含む信号）及びＤＦＴ部２２１から入力されるＰＵＳＣＨ信号（上り回線データを含む信号）を周波数多重（ＦＤＭ）するように指示する。
【０１１８】
これにより、図９Ａに示すように、端末２００は、上り回線データを含むＰＵＳＣＨ信号を、上り単位バンド１のＰＵＳＣＨリソースで送信し、束ＡＣＫ／ＮＡＣＫ信号を含むＰＵＣＣＨ信号を、上り単位バンド１のＰＵＣＣＨリソース（ＰＵＣＣＨ１の構成リソース）で送信する。つまり、端末２００は、上り回線データ及び束ＡＣＫ／ＮＡＣＫ信号を、上り単位バンド１のＰＵＣＣＨ１及び上り単位バンド１のＰＵＳＣＨにおいて、周波数軸上で多重（ＦＤＭ）して同一サブフレームで送信する。
【０１１９】
よって、端末２００は、１つの上り単位バンド（図９Ａでは上り単位バンド１）のみを用いて、上り回線データのパンクチャを行うことなく、上り回線データ及び束ＡＣＫ／ＮＡＣＫ信号を同一サブフレームで送信することが可能となる。
【０１２０】
＜エラーケース１（図９Ｂ）：端末２００が下り単位バンド１で送信された下り割当制御情報のみを受信した場合＞
【０１２１】
端末２００において、ＡＣＫ／ＮＡＣＫ制御部２１２は、ＣＲＣ部２１１から入力される、下り単位バンド１で受信した下り回線データに対する誤り検出結果（「ＡＣＫ」または「ＮＡＣＫ」）と、下り単位バンド２での下り割当制御情報の受信失敗を示す「ＮＡＣＫ」との論理積、つまり、「ＮＡＣＫ」を、束ＡＣＫ／ＮＡＣＫ信号として生成する。
【０１２２】
また、制御部２０８は、図４に示す単位バンドグループにおいて自機宛ての下り割当制御情報がマッピングされていた下り単位バンド１とそれぞれペアを構成する上り単位バンド１、及び、下り割当制御情報がマッピングされていたＣＣＥに対応するＰＵＣＣＨリソースを特定する。つまり、制御部２０８は、上り単位バンド１のＰＵＣＣＨ１の構成リソースを、束ＡＣＫ／ＮＡＣＫ信号（「ＮＡＣＫ」）の送信に用いるべきＰＵＣＣＨリソースとして特定する。
【０１２３】
すなわち、図９Ｂでは、図９Ａ（正常ケース）と同様、端末２００は、まず、上り割当制御情報及び下り割当制御情報に基づいて、上り回線データの送信に用いるべき上り単位バンドとして、上り単位バンド１を特定し、束ＡＣＫ／ＮＡＣＫ信号の送信に用いるべき上り単位バンドとして、上り単位バンド１を特定する。つまり、図９Ｂでは、端末２００が上り回線データと束ＡＣＫ／ＮＡＣＫ信号とを同一サブフレームで送信する際、上り回線データの送信に用いるべき上り単位バンドと、束ＡＣＫ／ＮＡＣＫ信号の送信に用いるべき上り単位バンドとが同一（上り単位バンド１）となる。
【０１２４】
そこで、制御部２０８は、正常ケースと同様にして、上り回線データ及び束ＡＣＫ／ＮＡＣＫ信号を、周波数軸上で多重（ＦＤＭ）して同一サブフレームで送信するように制御する。
【０１２５】
具体的には、制御部２０８は、正常ケース（図９Ａ）と同様の処理を行う。すなわち、制御部２０８は、応答信号／データ多重部２２０に対して、上り回線データと束ＡＣＫ／ＮＡＣＫ信号とを時間多重（ＴＤＭ）しないように指示する。また、制御部２０８は、ＰＵＣＣＨ／ＰＵＳＣＨ多重部２２２に対して、２次拡散部２１６から入力されるＰＵＣＣＨ信号（束ＡＣＫ／ＮＡＣＫ信号を含む信号）及びＤＦＴ部２２１から入力されるＰＵＳＣＨ信号（上り回線データを含む信号）を周波数多重（ＦＤＭ）するように指示する。
【０１２６】
また、制御部２０８は、上り制御チャネル信号生成部２１３の１次拡散部２１５及び２次拡散部２１６に対して、下り単位バンド１で受信した下り割当制御情報が占有したＣＣＥと関連付けられたＰＵＣＣＨリソース（ＰＵＣＣＨ１の構成リソース）に対応する、ＺＡＣ系列及び直交符号系列をそれぞれ指示する。
【０１２７】
これにより、図９Ｂに示すように、端末２００は、上り回線データを含むＰＵＳＣＨ信号を、上り単位バンド１のＰＵＳＣＨリソースで送信し、束ＡＣＫ／ＮＡＣＫ信号を含むＰＵＣＣＨ信号を、上り単位バンド１のＰＵＣＣＨリソース（ＰＵＣＣＨ１）で送信する。つまり、端末２００は、上り回線データ及び束ＡＣＫ／ＮＡＣＫ信号を、上り単位バンド１のＰＵＣＣＨ１及び上り単位バンドのＰＵＳＣＨにおいて、周波数軸上で多重（ＦＤＭ）して同一サブフレームで送信する。
【０１２８】
よって、端末２００は、１つの上り単位バンド（図９Ｂでは上り単位バンド１）のみを用いて、上り回線データのパンクチャを行うことなく、上り回線データ及び束ＡＣＫ／ＮＡＣＫ信号を同一サブフレームで送信することが可能となる。
【０１２９】
なお、図９Ｂに示す端末２００の動作は、エラーケース１（図９Ｂでは下り単位バンド２の下り割当制御情報の受信に失敗する場合）のみでなく、基地局１００が端末２００に対して下り単位バンド１のみで下り割当制御情報を送信する場合にも適用することができる。すなわち、端末２００は、基地局１００が実際にいくつの下り単位バンドにおいて下り割当制御情報を送信したかに関わらず、実際に自機が受信した下り割当制御情報の数、及び、受信した下り割当制御情報がマッピングされた下り単位バンドの位置に応じて、上り回線データ及びＡＣＫ／ＮＡＣＫ信号の多重方法（ＴＤＭまたはＦＤＭ）を決定する。
【０１３０】
＜エラーケース２（図９Ｃ）：端末２００が下り単位バンド２で送信された下り割当制御情報のみを受信した場合＞
【０１３１】
端末２００において、ＡＣＫ／ＮＡＣＫ制御部２１２は、ＣＲＣ部２１１から入力される、下り単位バンド２で受信した下り回線データに対する誤り検出結果（「ＡＣＫ」または「ＮＡＣＫ」）と、下り単位バンド１での下り割当制御情報の受信失敗を示す「ＮＡＣＫ」との論理積、つまり、「ＮＡＣＫ」を、束ＡＣＫ／ＮＡＣＫ信号として生成する。
【０１３２】
また、制御部２０８は、図４に示す単位バンドグループにおいて自機宛ての下り割当制御情報がマッピングされていた下り単位バンド２とそれぞれペアを構成する上り単位バンド２、及び、下り割当制御情報がマッピングされていたＣＣＥに対応するＰＵＣＣＨリソースを特定する。つまり、制御部２０８は、上り単位バンド２のＰＵＣＣＨ２の構成リソースを、束ＡＣＫ／ＮＡＣＫ信号（「ＮＡＣＫ」）の送信に用いるべきＰＵＣＣＨリソースとして特定する。
【０１３３】
すなわち、図９Ｃでは、端末２００は、まず、上り割当制御情報及び下り割当制御情報に基づいて、上り回線データの送信に用いるべき上り単位バンドとして、上り単位バンド１を特定し、束ＡＣＫ／ＮＡＣＫ信号の送信に用いるべき上り単位バンドとして、上り単位バンド２を特定する。つまり、図９Ｃでは、端末２００が上り回線データと束ＡＣＫ／ＮＡＣＫ信号とを同一サブフレームで送信する際、上り回線データの送信に用いるべき上り単位バンド（上り単位バンド１）と、束ＡＣＫ／ＮＡＣＫ信号の送信に用いるべき上り単位バンド（上り単位バンド２）とが異なる。
【０１３４】
そこで、制御部２０８は、上り回線データの送信に用いるべき上り単位バンドのＰＵＳＣＨリソースにおいて、上り回線データ及び束ＡＣＫ／ＮＡＣＫ信号を時間軸上で多重（ＴＤＭ）して送信するように制御する。
【０１３５】
具体的には、制御部２０８は、応答信号／データ多重部２２０に対して、上り回線データと束ＡＣＫ／ＮＡＣＫ信号とを時間多重（ＴＤＭ）するように指示する。よって、応答信号／データ多重部２２０は、束ＡＣＫ／ＮＡＣＫ信号によって、上り回線データをパンクチャすることにより、上り回線データ及び束ＡＣＫ／ＮＡＣＫ信号を時間多重する。これにより、ＰＵＣＣＨ／ＰＵＳＣＨ多重部２２２には、上り回線データ及び束ＡＣＫ／ＮＡＣＫ信号を含むＰＵＳＣＨ信号が入力される。
【０１３６】
また、制御部２０８は、ＰＵＣＣＨ／ＰＵＳＣＨ多重部２２２に対して、ＤＦＴ部２２１から入力されるＰＵＳＣＨ信号（上り回線データ及び束ＡＣＫ／ＮＡＣＫ信号を含む信号）のみに対してＩＦＦＴ処理を行うように指示する。換言すると、制御部２０８は、ＰＵＣＣＨ／ＰＵＳＣＨ多重部２２２に対して、ＤＦＴ部２２１から入力されるＰＵＳＣＨ信号と２次拡散部２１６から入力されるＰＵＣＣＨ信号とを周波数多重（ＦＤＭ）しないように指示する。
【０１３７】
これにより、図９Ｃに示すように、端末２００は、上り回線データ及び束ＡＣＫ／ＮＡＣＫ信号を含むＰＵＳＣＨ信号を、上り単位バンド１のＰＵＳＣＨリソースで送信する。つまり、端末２００は、上り回線データ及び束ＡＣＫ／ＮＡＣＫ信号を、上り単位バンド２のＰＵＣＣＨ２を用いずに、上り単位バンド１のＰＵＳＣＨにおいて、時間軸上で多重（ＴＤＭ）して同一サブフレームで送信する。
【０１３８】
よって、端末２００は、１つの上り単位バンド（図９Ｃでは上り単位バンド１）のみを用いて、上り回線データ及び束ＡＣＫ／ＮＡＣＫ信号を同一サブフレームで送信することが可能となる。
【０１３９】
ここで、図９Ｃでは上り単位バンド１のＰＵＳＣＨリソースにマッピングされた上り回線データは、束ＡＣＫ／ＮＡＣＫ信号によってパンクチャされるため、上り回線データの品質が劣化してしまう。しかしながら、ＬＴＥ−Ａシステムでは、下り割当制御情報のエラー率（つまり、ＰＤＣＣＨ信号のTarget Block error rate（Target BLER））は１％程度で運用されるため、エラーケース２（図９Ｃ）が発生する状況は極めて少ない（エラーケース２の発生頻度：１％程度）。よって、図９Ｃに示すようなエラーケース２においてのみ、端末２００が上り回線データ及び束ＡＣＫ／ＮＡＣＫ信号を時間多重しても（つまり、上り回線データがパンクチャされても）、システム全体に及ぼす影響は極めて少ない。
【０１４０】
なお、図９Ｃに示す端末２００の動作は、エラーケース２（図９Ｃでは下り単位バンド１の下り割当制御情報の受信に失敗する場合）のみでなく、基地局１００が端末２００に対して下り単位バンド２のみで下り割当制御情報を送信する場合にも適用することができる。例えば、基地局１００は、下り単位バンド２にのみ下り回線データ（つまり、下り割り当て制御情報）を割り当て、上り単位バンド１にのみ上り回線データ（すなわち、上り割当制御情報）を割り当てる場合である。ただし、この場合、端末２００が全ての割当情報（下り単位バンド１で送信される上り割当制御情報及び下り単位バンド２で送信される下り割当制御情報）を正常に受信した場合（つまり、正常ケース）においても、図９Ｃに示すように、下り単位バンド２で送信された下り回線データに対する応答信号によって、上り単位バンドで送信される上り回線データがパンクチャされてしまう。したがって、一般的に、基地局１００は、端末２００に対して、一方の下り単位バンド（図９Ｃでは下り単位バンド２）にのみ下り回線データを割り当てると同時に、他方の上り単位バンド（図９Ｃでは上り単位バンド１）にのみ上り回線データを割り当てる運用を行わない。
【０１４１】
＜エラーケース３（図９Ｄ）：端末２００が下り単位バンド１及び２で送信された下り割当制御情報のいずれも受信しなかった場合＞
【０１４２】
図９Ｄに示すエラーケース３では、端末２００は、基地局１００が下り単位バンド１及び２で送信した下り割当制御情報の存在を知らず、下り回線データを受信できないため、送信すべきＡＣＫ／ＮＡＣＫ信号は存在しない。よって、端末２００は、図９Ｄに示すように、上り割当制御情報に基づいて、上り回線データの送信に用いるべき上り単位バンドとして、上り単位バンド１を特定する。
【０１４３】
そこで、制御部２０８は、応答信号／データ多重部２２０に対して、上り回線データと応答信号とを時間多重（ＴＤＭ）しないように指示する。また、制御部２０８は、ＰＵＣＣＨ／ＰＵＳＣＨ多重部２２２に対して、ＤＦＴ部２２１から入力されるＰＵＳＣＨ信号（上り回線データ信号を含む信号）のみに対してＩＦＦＴ処理を行うように指示する。
【０１４４】
これにより、図９Ｄに示すように、端末２００は、上り回線データを含むＰＵＳＣＨ信号を、上り単位バンド１のＰＵＳＣＨリソースで送信する。
【０１４５】
以上、下り割当制御情報を含むＰＤＣＣＨ信号の受信成否に応じた端末２００における動作について説明した。
【０１４６】
一方、基地局１００の判定部１２２は、相関処理部１１７から入力される相関値に基づいて、端末２００に設定された単位バンドグループにおける上り単位バンド１及び２のＰＵＣＣＨリソースに応答信号（束ＡＣＫ／ＮＡＣＫ信号）が含まれるか否かを判定する。さらに、判定部１２２は、逆拡散部１２０から入力される逆拡散後の信号に基づいて、端末２００に設定された単位バンドグループにおける上り単位バンド１及び２のＰＵＳＣＨリソースに応答信号（束ＡＣＫ／ＮＡＣＫ信号）が含まれるか否かを判定する。
【０１４７】
つまり、図４において、判定部１２２は、下り単位バンド１及び２の各下り割当制御情報が示すＰＤＳＣＨリソースで送信した下り回線データに対する応答信号（束ＡＣＫ／ＮＡＣＫ信号）が、下り割当制御情報の送信に用いた下り単位バンド１及び２に対応する上り単位バンド１及び２のＰＵＣＣＨリソース（ＰＵＣＣＨ１及び２の構成リソース）、または、下り単位バンド１の上り割当制御情報が示すＰＵＳＣＨリソースに含まれるか否かを判定する。
【０１４８】
例えば、図９Ａ及び図９Ｂでは、基地局１００の判定部１２２は、下り単位バンド１で送信された上り割当制御情報が示すＰＵＳＣＨリソースが設けられた上り単位バンド１のＰＵＣＣＨ１を構成するＰＵＣＣＨリソースに、束ＡＣＫ／ＮＡＣＫ信号が含まれていると判定する。一方、図９Ｃでは、基地局１００の判定部１２２は、下り単位バンド１で送信された上り割当制御情報が示すＰＵＳＣＨリソースに、束ＡＣＫ／ＮＡＣＫ信号が含まれていると判定する。つまり、基地局１００の判定部１２２では、上り回線データと応答信号（束ＡＣＫ／ＮＡＣＫ信号）とを同一サブフレームで受信する際には、上り回線データ及び応答信号の双方は、同一の上り単位バンド（図９Ａ〜図９Ｃでは上り単位バンド１）で受信される。
【０１４９】
このようにして、端末２００は、上り割当制御情報が示す上りデータチャネル（ＰＵＳＣＨ）が設けられた上り単位バンド（つまり、上り回線データの送信に用いる上り単位バンド）と、下り割当制御情報が占有していたＣＣＥと対応付けられたＰＵＣＣＨリソースが設けられた上り単位バンド（つまり、下り回線データに対する応答信号の送信に用いる上り単位バンド）とが異なる場合、上り回線データの送信に用いる上りデータチャネル（ＰＵＳＣＨ）において、上り回線データ及び応答信号を時間多重して送信する。
【０１５０】
換言すると、端末２００は、上り割当制御情報が送信された下り制御チャネル（エラーケース２（図９Ｃ）では、図４に示すＰＤＣＣＨ１）が設けられた下り単位バンドと、下り割当制御情報が送信された下り制御チャネル（エラーケース２（図９Ｃ）では、図４に示すＰＤＣＣＨ２）が設けられた下り単位バンドとが異なる場合、上り回線データの送信に用いる上りデータチャネル（エラーケース２（図９Ｃ）では上り単位バンド１のＰＵＳＣＨ）において、上り回線データ及び応答信号を時間多重して送信する。すなわち、上り回線データと応答信号とが同時に送信されるサブフレームにおいて、端末２００は、上り割当制御情報がマッピングされていない下り単位バンド（つまり、上り回線データの割当が無い上り単位バンドとペアの下り単位バンド、若しくは、下り割当制御情報のみがマッピングされている下り単位バンド）で受信した下り回線データに対する応答信号を、他の下り単位バンドで受信した上り割当制御情報が示す上りデータチャネルにおいて、上り回線データと時間多重して送信する。
【０１５１】
つまり、端末２００は、上り回線データと応答信号とを同一のサブフレーム内で送信する際、自機に設定された単位バンドグループのうち、第１の下り単位バンド（例えば、図４に示す下り単位バンド１）において上り割当制御情報のみを受信し、第１の下り単位バンドと異なる第２の下り単位バンド（例えば、図４に示す下り単位バンド２）において下り割当制御情報のみを受信した場合には、第１の下り単位バンドで受信した前記上り割当制御情報が示す前記上りデータチャネル（図４に示す上り単位バンド１のＰＵＳＣＨ）において、上り回線データ、及び、第２の下り単位バンド（図４に示す下り単位バンド２）で受信した下り割当制御情報が示す下りデータチャネルで送信された下り回線データに対する応答信号を時間多重して送信する。
【０１５２】
一方、端末２００は、上り割当制御情報が示す上りデータチャネル（ＰＵＳＣＨ）が設けられた上り単位バンド（つまり、上り回線データの送信に用いる上り単位バンド）と、下り割当制御情報が占有していたＣＣＥと対応付けられたＰＵＣＣＨリソースが設けられた上り単位バンド（つまり、下り回線データに対する応答信号の送信に用いる上り単位バンド）とが同一の場合、上りデータチャネル（ＰＵＳＣＨ）及び上り制御チャネル（ＰＵＣＣＨ）を用いて、上り回線データ及び応答信号を周波数多重して送信する。
【０１５３】
換言すると、端末２００は、上り割当制御情報が送信された下り制御チャネル（正常ケース（図９Ａ）、エラーケース１（図９Ｂ）では、図４に示すＰＤＣＣＨ１）が設けられた下り単位バンドと、下り割当制御情報が送信された下り制御チャネル（正常ケース（図９Ａ）、エラーケース２（図９Ｂ）では、図４に示すＰＤＣＣＨ１）が設けられた下り単位バンドとが同一の場合、上りデータチャネル（ＰＵＳＣＨ）及び上り制御チャネル（ＰＵＣＣＨ）を用いて、上り回線データ及び応答信号を周波数多重して送信する。
【０１５４】
このように、端末２００は、上り回線データ及び束ＡＣＫ／ＮＡＣＫ信号を同一サブフレーム（同一の送信単位時間内）で送信する際、束ＡＣＫ／ＮＡＣＫ信号が送信されるべき上り単位バンドが、上り回線データが送信されるべき上り単位バンドと同一であるか否かに応じて、上り回線データ及び束ＡＣＫ／ＮＡＣＫ信号を時間多重するか周波数多重するかを決定する。
【０１５５】
ここで、時間多重（ＴＤＭ）を用いる場合には、図９Ｃに示すように、応答信号によって上り回線データがパンクチャされるため、上り回線データの品質が劣化してしまう。一方、上り回線データ及び応答信号の多重方法として周波数多重（ＦＤＭ）を用いる場合には、端末からの信号における送信波形のシングルキャリア特性が劣化（またはＣＭ（Cubic Metric）特性が劣化）してしまう。しかしながら、図９Ａ〜図９Ｄのように、Ｃａｒｒｉｅｒ  ａｇｇｒｅｇａｔｉｏｎによる通信は、回線品質が良好であるセル中心の端末（Cell center UE）に設定される可能性が高い。そのため、Ｃａｒｒｉｅｒ  ａｇｇｒｅｇａｔｉｏｎによる通信を行う端末２００（Cell center UE）では、上り回線データ及び応答信号が周波数多重（ＦＤＭ）されて送信されても、端末２００の送信信号が、シングルキャリア特性の劣化により受ける影響は極めて少ない。よって、端末２００では、上り回線データ及び応答信号を多重して送信する際には時間多重（ＴＤＭ）の使用（すなわち、上り回線データがパンクチャされる頻度）を最小限に抑え、周波数多重（ＦＤＭ）を使用することが好ましい。
【０１５６】
９Ａ〜図９Ｄに示すように、本実施の形態では、エラーケース２（図９Ｃ）のみ時間多重（ＴＤＭ）が使用され、エラーケース２以外のケース（図９Ａ，Ｂ）では、端末２００は、周波数多重（ＦＤＭ）を使用する。また、図９Ｃに示すエラーケース２が発生する確率（ＰＤＣＣＨ信号のTarget BLER）は、上述したように１％程度である。従って、端末２００では、時間多重（ＴＤＭ）の使用（すなわち、束ＡＣＫ／ＮＡＣＫ信号によって上り回線データがパンクチャされる頻度）を最小限に抑えることができる。このため、端末２００では、上り回線データの品質劣化をほぼ抑えることができる。
【０１５７】
さらに、図９Ａ〜図９Ｃに示すように、上り回線データ及び応答信号を同一サブフレームで送信する際には、端末２００は、常に１つの上り単位バンド（図９Ａ〜図９Ｃでは上り単位バンド１）のみを使用する。すなわち、端末２００は、上り回線データ及び応答信号を同一サブフレームで送信する場合でも、上り回線で使用する帯域を、上り回線データ（ＰＵＳＣＨ信号）の送信に必要最低限の上り単位バンドのみに抑えることができる。これにより、端末２００では、上り回線データ及び応答信号の送信時の消費電力を抑えることができる。
【０１５８】
また、図９Ａ〜図９Ｄに示すように、上り単位バンド１のＰＵＣＣＨリソース（ＰＵＣＣＨ１）が使用されるか否かに基づいて、基地局１００は、下り単位バンド１における下り割当制御情報のＤＴＸ判定（つまり、エラーケース２（図９Ｃ）の特定）を行うことができる。これにより、下り割当制御情報の受信成否を通知するためのシグナリングオーバーヘッドの増加を抑えつつ、基地局側で下り割当制御情報の符号化率等の最適化を行うことができる。
【０１５９】
このように、本実施の形態によれば、Carrier aggregation時に上り回線データと応答信号とを同時に送信する場合でも、端末の消費電力を抑えつつ、上り回線データの品質を向上させることができる。
【０１６０】
なお、本実施の形態では、例えば、図４において、端末が２つの下り単位バンド１及び２で下り割当制御情報を受信した場合の束ＡＣＫ／ＮＡＣＫ信号の送信に用いるべき上り単位バンドとして、基地局と端末との間で、下り単位バンド１に対応する上り単位バンド１が予め設定されている場合について説明した。しかし、本発明は、これに限定されない。例えば、ある端末に対して、複数の下り単位バンド１及び２、及び、複数の上り単位バンド１及び２が単位バンドグループとして設定される場合について説明する。この場合、端末がいずれかの上り単位バンドに対応する上り割当制御情報を受信した場合には、端末は、下り単位バンド１及び２の双方の下り割当制御情報の受信に成功した場合（正常ケース）の束ＡＣＫ／ＮＡＣＫ信号を、上り割当制御情報が示すＰＵＳＣＨリソースが設けられた上り単位バンドで送信してもよい。つまり、端末は、上り回線データと応答信号とを同一サブフレーム内で送信する際、自機に設定された単位バンドグループのうち、第１の下り単位バンド（例えば、図４では下り単位バンド１、図１０では下り単位バンド２）において、上り割当制御情報及び下り割当制御情報を受信し、第１の下り単位バンドと異なる第２の下り単位バンド（例えば、図４では下り単位バンド２、図１０では下り単位バンド１）において、下り割当制御情報のみを受信した場合、第１の下り単位バンド及び第２の下り単位バンドでそれぞれ送信された複数の下りデータに対して生成された１つの束ＡＣＫ／ＮＡＣＫ信号を、第１の下り単位バンドで受信した下り割当制御情報が送信された下り制御チャネルと対応付けられた上り制御チャネルを用いて送信する。
【０１６１】
以下、具体的に説明する。図４に示すように、基地局が上り単位バンド１に上り回線データを割り当てた場合（つまり、端末が上り単位バンド１で上り割当制御情報を受信した場合）、端末の動作は、上述した図９Ａ〜図９Ｄと同様である。一方、図１０に示すように、基地局が上り単位バンド２に上り回線データを割り当てた場合（つまり、端末が上り単位バンド２で上り割当制御情報を受信した場合）、端末は、下り単位バンド１で受信した下り回線データに対する応答信号と下り単位バンド２で受信した下り回線データに対する応答信号との論理積である束ＡＣＫ／ＮＡＣＫ信号を、上り回線データが送信される上り単位バンド２で送信する。具体的には、図１１Ａ（正常ケース）及び図１１Ｃ（エラーケース２）の場合、つまり、上り回線データが送信される上り単位バンドと、束ＡＣＫ／ＮＡＣＫ信号が送信される上り単位バンドが同一（上り単位バンド２）の場合には、端末は、上り回線データ及び束ＡＣＫ／ＮＡＣＫ信号を周波数軸上で多重（ＦＤＭ）する。一方、図１１Ｂ（エラーケース１）の場合、すなわち、上り回線データが送信される上り単位バンドと、束ＡＣＫ／ＮＡＣＫ信号が送信される上り単位バンドが異なる場合には、端末は、上り回線データが送信される上り単位バンド２のＰＵＳＣＨリソースにおいて、上り回線データ及び束ＡＣＫ／ＮＡＣＫ信号を、時間軸で多重（ＴＤＭ）する。つまり、図１０に示すように上り単位バンド２に上り回線データが割り当てられた場合には、端末は、上り回線データとＡＣＫ／ＮＡＣＫ信号とが同一サブフレームで送信される場合でも、常に１つの上り単位バンド２のみを使用する。このようにして、上り回線データとＡＣＫ／ＮＡＣＫ信号とが同一時刻で送信される場合、端末は、上り回線データを送信すべき上り単位バンドに応じて、束ＡＣＫ／ＮＡＣＫ信号を送信すべき上り単位バンドを変化させることで、基地局における上りデータチャネル（ＰＵＳＣＨリソース）のスケジューリングの自由度を向上させることができる。
【０１６２】
また、本実施の形態では、１つの端末に対して、下り回線データが割り当てられる下り単位バンドの数が２つの場合について説明した。しかし、１つの端末に対して下り回線データが割り当てられる下り単位バンドの数は３つ以上でも、本発明を適用することができる。
【０１６３】
また、本実施の形態では、端末が１つの上り単位バンドのみで上り回線データを送信する場合について説明した。しかし、上り回線データが送信される上り単位バンド数は１つに限らず、端末が２つ以上の上り単位バンドで複数の上り回線データを送信するように指示された場合にも本発明を適用することができる。例えば、複数の上り単位バンドで複数の上り回線データを送信する場合でも、端末は、上り回線データを送信すべき上り単位バンドと同一の上り単位バンドに設けられたＰＵＣＣＨリソースで送信すべき応答信号（束ＡＣＫ／ＮＡＣＫ信号）に対して周波数多重（ＦＤＭ）を適用する。一方、上り回線データを送信すべき上り単位バンドと異なる上り単位バンドに設けられたＰＵＣＣＨリソースで送信すべき応答信号（束ＡＣＫ／ＮＡＣＫ信号）に対して時間多重（ＴＤＭ）を適用する。
【０１６４】
また、本実施の形態では、応答信号の送信モードとしてBundlingモードを適用する場合について説明した。しかし、応答信号の送信モードは、Bundlingモードに限らず、端末から送信される応答信号が常に１つに限定される設定が用いられる場合にも本発明を適用することができる。例えば、応答信号の送信モードとして、複数のＰＵＣＣＨリソース群から１つのＰＵＣＣＨリソースを選択して応答信号を送信するモード（Channel selectionまたはACK/NACK Multiplexing）についても本発明を適用することができる。
【０１６５】
（実施の形態２）
実施の形態１では応答信号の送信モードとしてBundlingモードを適用した場合について説明したのに対し、本実施の形態では応答信号の送信モードとしてNon-bundlingモードを適用する場合について説明する。
【０１６６】
以下、具体的に説明する。本実施の形態における基地局及び端末の構成は実施の形態１と同様であるので、図７及び図８を援用して説明する。
【０１６７】
ただし、本実施の形態に係る通信システムでは、Ｃａｒｒｉｅｒ  ａｇｇｒｅｇａｔｉｏｎによる通信が行われる場合には、ＡＲＱにおいて応答信号のNon-bundlingが採用される点が実施の形態１と相違する。
【０１６８】
以下、本実施の形態に係る端末２００の動作について説明する。以下の説明では、図１２に示すように、端末２００に対しては、実施の形態１（図４）と同様、下り単位バンド１及び２の２つの下り単位バンド、及び、上り単位バンド１及び２の２つの上り単位バンドから構成される、対称の単位バンドグループが設定されている。そして、基地局１００は、下り単位バンド１及び２において上り割当制御情報、下り割当制御情報及び下り回線データをそれぞれ送信する。ここでは、端末２００は、図１２に示す下り単位バンドのＰＤＣＣＨ１で送信されたＰＤＣＣＨ信号に含まれる上り割当制御情報を正常に受信する。つまり、端末２００は、上り回線データ（図１２に示すＵＬ  ｄａｔａ）を含むＰＵＳＣＨ信号の送信に用いる上りデータチャネル（図１２に示す上り単位バンド１のＰＵＳＣＨ）を特定している。また、実施の形態１（図４）と同様、図１２に示す下り単位バンド１のＰＤＣＣＨ１を構成する複数のＣＣＥは、上り単位バンド１のＰＵＣＣＨの構成リソースとそれぞれ対応付けられており、図１２示す下り単位バンド２のＰＤＣＣＨ２を構成する複数のＣＣＥは、上り単位バンド２のＰＵＣＣＨの構成リソースとそれぞれ対応付けられている。また、端末２００は、下り単位バンド１及び２でそれぞれ受信した下り回線データに対する応答信号を、個別に送信する（すなわち、Non-bundlingモードを適用）。
【０１６９】
以下、図１２に示す下り単位バンド１のＰＤＣＣＨ１及び下り単位バンド２のＰＤＣＣＨ２でそれぞれ送信された、下り割当制御情報の受信成否に応じた端末２００における応答信号多重制御処理の詳細な動作について、実施の形態１（図９Ａ〜図９Ｄ）と同様、正常ケース及びエラーケース１〜３を示す図１３Ａ〜図１３Ｄを用いて説明する。
【０１７０】
以下の説明では、図１３Ａ〜図１３Ｄに示すように、端末２００の制御部２０８は、図１２に示す下り単位バンド１のＰＤＣＣＨ１で正常に受信した上り割当制御情報に含まれる、自機に対する上りデータ割当リソースに関する情報に基づいて、上り単位バンド１のＰＵＳＣＨを、上り回線データの送信に用いるＰＵＳＣＨリソースとして特定する。
【０１７１】
また、ＡＣＫ／ＮＡＣＫ制御部２１２は、制御部２０８からの指示に従って、ＣＲＣ部２１１から入力される、複数の下り単位バンド１でそれぞれ受信した下り回線データに対する各誤り検出結果（「ＡＣＫ」または「ＮＡＣＫ」）を、上り制御チャネル信号生成部２１３の変調部２１４、または、変調部２１７に出力する。
【０１７２】
＜正常ケース（図１３Ａ）：端末２００が２つの下り単位バンドで送信された下り割当制御情報を受信した場合＞
【０１７３】
端末２００において、制御部２０８は、図１２に示す単位バンドグループにおいて自機宛ての下り割当制御情報がマッピングされていた下り単位バンド１及び２とそれぞれペアを構成する上り単位バンド１及び２、及び、下り割当制御情報がマッピングされていたＣＣＥに対応するＰＵＣＣＨリソースを特定する。
【０１７４】
すなわち、図１３Ａでは、端末２００は、まず、上り割当制御情報及び下り割当制御情報に基づいて、上り回線データの送信に用いるべき上り単位バンドとして、上り単位バンド１を特定し、下り単位バンド１で受信した下り回線データに対する応答信号の送信に用いるべき上り単位バンドとして、上り単位バンド１を特定し、下り単位バンド２で受信した下り回線データに対する応答信号の送信に用いるべき上り単位バンドとして、上り単位バンド２を特定する。つまり、図１３Ａでは、端末２００が上り回線データと応答信号とを同一サブフレームで送信する際、上り回線データの送信に用いるべき上り単位バンドと、下り単位バンド１で受信した下り回線データに対する応答信号の送信に用いるべき上り単位バンドとが同一となる。これに対し、上り回線データの送信に用いるべき上り単位バンドと、下り単位バンド２で受信した下り回線データに対する応答信号の送信に用いるべき上り単位バンドとは異なる。
【０１７５】
そこで、制御部２０８は、上り回線データの送信に用いるべき上り単位バンドと同一の上り単位バンドを用いて送信すべき応答信号に対しては、上り回線データ及び応答信号を、周波数軸上で多重（ＦＤＭ）して同一サブフレームで送信するように制御する。一方、制御部２０８は、上り回線データの送信に用いるべき上り単位バンドと異なる上り単位バンドを用いて送信すべき応答信号に対しては、上り回線データの送信に用いるべき上り単位バンドのＰＵＳＣＨリソースにおいて、上り回線データ及び応答信号を、時間軸上で多重（ＴＤＭ）して送信するように制御する。
【０１７６】
具体的には、制御部２０８は、ＡＣＫ／ＮＡＣＫ制御部２１２に対して、図１２に示す下り単位バンド１で受信した下り回線データに対する応答信号（すなわち、上り単位バンド１のＰＵＣＣＨリソースで送信すべき応答信号）を上り制御チャネル信号生成部２１３の変調部２１４に出力するように指示する。また、制御部２０８は、ＡＣＫ／ＮＡＣＫ制御部２１２に対して、図１２に示す下り単位バンド２で受信した下り回線データに対する応答信号（すなわち、上り単位バンド２のＰＵＣＣＨリソースで送信すべき応答信号）を変調部２１７に出力するように指示する。
【０１７７】
制御部２０８は、応答信号／データ多重部２２０に対して、上り回線データと応答信号（すなわち、上り単位バンド２のＰＵＣＣＨリソースで送信すべき応答信号）とを時間多重（ＴＤＭ）するように指示する。これにより、ＰＵＣＣＨ／ＰＵＳＣＨ多重部２２２には、上り回線データ及び下り単位バンド２で受信した下り回線データに対する応答信号を含むＰＵＳＣＨ信号が入力される。
【０１７８】
また、制御部２０８は、上り制御チャネル信号生成部２１３の１次拡散部２１５及び２次拡散部２１６に対して、下り単位バンド１で受信した下り割当制御情報が占有していたＣＣＥと対応付けられたＰＵＣＣＨリソース（ＰＵＣＣＨ１の構成リソース）に対応する、ＺＡＣ系列及び直交符号系列をそれぞれ指示する。
【０１７９】
そして、制御部２０８は、ＰＵＣＣＨ／ＰＵＳＣＨ多重部２２２に対して、２次拡散部２１６から入力されるＰＵＣＣＨ信号（下り単位バンド１で受信した下り回線データに対する応答信号を含む信号）及びＤＦＴ部２２１から入力されるＰＵＳＣＨ信号（上り回線データ及び下り単位バンド２で受信した下り回線データに対する応答信号を含む信号）を周波数多重（ＦＤＭ）するように指示する。
【０１８０】
このようにして、上り回線データと応答信号とを同一サブフレーム内で送信する際、自機に設定された単位バンドグループのうち、第１の下り単位バンド（例えば、図１２に示す下り単位バンド１）において、上り割当制御情報及び下り割当制御情報を受信し、第１の下り単位バンドと異なる第２の下り単位バンド（図１２では下り単位バンド２）において、下り割当制御情報のみを受信した場合、端末２００は、第１の下り単位バンドで受信した上り割当制御情報が示す上りデータチャネルにおいて、上り回線データ、及び、第２の下り単位バンドで受信した下り割当制御情報が示す下りデータチャネルで送信された下り回線データに対する応答信号を時間多重して送信する。また、端末２００は、第１の下り単位バンドで受信した下り割当制御情報が送信された下り制御チャネルと対応付けられた上り制御チャネル、及び、第１の下り単位バンドで受信した下り割当制御情報が示す上りデータチャネルを用いて、上り回線データ、及び、第１の下り単位バンドで受信した下り割当制御情報が示す下りデータチャネルで送信された下り回線データに対する応答信号を周波数多重して送信する。
【０１８１】
これにより、図１３Ａに示すように、端末２００は、上り回線データ及び下り単位バンド２で受信した下り回線データに対する応答信号を含むＰＵＳＣＨ信号を、上り単位バンド１のＰＵＳＣＨリソースで送信し、下り単位バンド１で受信した下り回線データに対する応答信号を含むＰＵＣＣＨ信号を、上り単位バンド１のＰＵＣＣＨリソース（ＰＵＣＣＨ１）で送信する。
【０１８２】
つまり、端末２００は、下り単位バンド１で受信した下り回線データに対する応答信号（送信すべき上り単位バンドが上り回線データを送信すべき上り単位バンドと同一である応答信号）に対しては、上り単位バンド１のＰＵＣＣＨ１及び上り単位バンド１のＰＵＳＣＨを用いて、上り回線データと周波数軸上で多重（ＦＤＭ）して同一サブフレームで送信する。一方、端末２００は、下り単位バンド２で受信した下り回線データに対する応答信号（送信すべき上り単位バンドが上り回線データを送信すべき上り単位バンドと異なる応答信号）に対しては、上り単位バンド１のＰＵＳＣＨにおいて、上り回線データと時間軸上で多重（ＴＤＭ）して同一サブフレームで送信する。これにより、端末２００は、１つの上り単位バンド１のみを用いて、上り回線データ及びNon-bundlingモードにおける複数の応答信号を、同一サブフレームで送信することができる。
【０１８３】
図１３Ａに示すように、端末２００では、２つの応答信号が送信されるにも関わらず、上り回線データをパンクチャする応答信号は１つ（下り単位バンド２で受信した下り回線データに対する応答信号）だけである。換言すると、端末２００では、上り回線データは、複数の応答信号のうち、上り回線データを送信すべき上り単位バンドと同一の上り単位バンドで送信すべき応答信号によってパンクチャされない。よって、端末２００では、パンクチャによる上り回線データの品質劣化を最小限に抑えることができる。
【０１８４】
このようにして、端末２００は、上り回線データのパンクチャを最小限に抑えつつ、１つの上り単位バンド（図１３Ａでは上り単位バンド１）のみを用いて、上り回線データ及び複数の応答信号を同一サブフレームで送信することが可能となる。
【０１８５】
＜エラーケース１（図１３Ｂ）：端末２００が下り単位バンド１で送信された下り割当制御情報のみを受信した場合＞
【０１８６】
端末２００において、制御部２０８は、図１２に示す単位バンドグループにおいて自機宛ての下り割当制御情報がマッピングされていた下り単位バンド１とそれぞれペアを構成する上り単位バンド１、及び、下り割当制御情報がマッピングされていたＣＣＥに対応するＰＵＣＣＨリソースを特定する。
【０１８７】
すなわち、図１３Ｂでは、端末２００は、まず、上り割当制御情報及び下り割当制御情報に基づいて、上り回線データの送信に用いるべき上り単位バンドとして、上り単位バンド１を特定し、下り単位バンド１で受信した下り回線データに対する応答信号の送信に用いるべき上り単位バンドとして、上り単位バンド１を特定する。つまり、図１３Ｂでは、端末２００が上り回線データと応答信号とを同一サブフレームで送信する際、上り回線データの送信に用いるべき上り単位バンドと、応答信号の送信に用いるべき上り単位バンドとが同一（上り単位バンド１）となる。
【０１８８】
そこで、制御部２０８は、実施の形態１のエラーケース１（図９Ｂ）と同様にして、上り回線データを含むＰＵＳＣＨ信号、及び、下り単位バンド１で受信した下り回線データに対する応答信号を含むＰＵＣＣＨ信号を、周波数軸上で多重（ＦＤＭ）して同一サブフレームで送信するように制御する。
【０１８９】
具体的には、制御部２０８は、ＡＣＫ／ＮＡＣＫ制御部２１２に対して、図１２に示す下り単位バンド１で受信した下り回線データに対する応答信号を、上り制御チャネル信号生成部２１３の変調部２１４に出力するように指示する。また、制御部２０８は、応答信号／データ多重部２２０に対して、上り回線データと応答信号とを時間多重（ＴＤＭ）しないように指示し、ＰＵＣＣＨ／ＰＵＳＣＨ多重部２２２に対して、２次拡散部２１６から入力されるＰＵＣＣＨ信号（応答信号を含む信号）及びＤＦＴ部２２１から入力されるＰＵＳＣＨ信号（上り回線データを含む信号）を周波数多重（ＦＤＭ）するように指示する。
【０１９０】
また、制御部２０８は、上り制御チャネル信号生成部２１３の１次拡散部２１５及び２次拡散部２１６に対して、下り単位バンド１で受信した下り割当制御情報が占有したＣＣＥと対応付けられたＰＵＣＣＨリソース（ＰＵＣＣＨ１の構成リソース）に対応する、ＺＡＣ系列及び直交符号系列をそれぞれ指示する。
【０１９１】
これにより、図１３Ｂに示すように、端末２００は、上り回線データを含むＰＵＳＣＨ信号を、上り単位バンド１のＰＵＳＣＨリソースで送信し、下り単位バンド１で受信した下り回線データに対する応答信号を含むＰＵＣＣＨ信号を、上り単位バンド１のＰＵＣＣＨリソース（ＰＵＣＣＨ１）で送信する。つまり、端末２００は、実施の形態１のエラーケース１（図９Ｂ）と同様、上り回線データ及び応答信号を、上り単位バンド１のＰＵＣＣＨ１及び上り単位バンドのＰＵＳＣＨを用いて、周波数軸上で多重（ＦＤＭ）して同一サブフレームで送信する。
【０１９２】
よって、端末２００は、１つの上り単位バンド（図１３Ｂでは上り単位バンド１）のみを用いて、上り回線データのパンクチャを行うことなく、上り回線データ及び応答信号を同一サブフレームで送信することが可能となる。
【０１９３】
なお、図１３Ｂに示す端末２００の動作は、エラーケース１（図１３Ｂでは下り単位バンド２の下り割当制御情報の受信に失敗する場合）のみでなく、基地局１００が端末２００に対して下り単位バンド１のみで下り割当制御情報を送信する場合にも適用することができる。すなわち、端末２００は、基地局１００が実際にいくつの下り単位バンドにおいて下り割当制御情報を送信したかに関わらず、実際に自機が受信した下り割当制御情報の数、及び、受信した下り割当制御情報がマッピングされた下り単位バンドの位置に応じて、上り回線データ及びＡＣＫ／ＮＡＣＫ信号の多重方法（ここでは、時間多重（ＴＤＭ）または周波数多重（ＦＤＭ））を決定する。
【０１９４】
＜エラーケース２（図１３Ｃ）：端末２００が下り単位バンド２で送信された下り割当制御情報のみを受信した場合＞
【０１９５】
端末２００において、制御部２０８は、図１２に示す単位バンドグループにおいて自機宛ての下り割当制御情報がマッピングされていた下り単位バンド２とそれぞれペアを構成する上り単位バンド２、及び、下り割当制御情報がマッピングされていたＣＣＥに対応するＰＵＣＣＨリソースを特定する。
【０１９６】
すなわち、図１３Ｃでは、端末２００は、まず、上り割当制御情報及び下り割当制御情報に基づいて、上り回線データの送信に用いるべき上り単位バンドとして、上り単位バンド１を特定し、下り単位バンド２で受信した下り回線データに対する応答信号の送信に用いるべき上り単位バンドとして、上り単位バンド２を特定する。つまり、図１３Ｃでは、端末２００が上り回線データと応答信号とを同一サブフレームで送信する際、上り回線データの送信に用いるべき上り単位バンド（上り単位バンド１）と、下り単位バンド２で受信した下り回線データに対する応答信号の送信に用いるべき上り単位バンド（上り単位バンド２）とは異なる。
【０１９７】
そこで、制御部２０８は、上り回線データの送信に用いるべき上り単位バンドのＰＵＳＣＨリソースにおいて、上り回線データ及び応答信号を、時間軸上で多重（ＴＤＭ）して送信するように制御する。
【０１９８】
具体的には、制御部２０８は、ＡＣＫ／ＮＡＣＫ制御部２１２に対して、図１２に示す下り単位バンド２で受信した下り回線データに対する応答信号を変調部２１７に出力するように指示する。また、制御部２０８は、応答信号／データ多重部２２０に対して、上り回線データと応答信号とを時間多重（ＴＤＭ）するように指示する。よって、応答信号／データ多重部２２０は、応答信号によって、上り回線データをパンクチャすることにより、上り回線データ及び応答信号を時間多重する。これにより、ＰＵＣＣＨ／ＰＵＳＣＨ多重部２２２には、上り回線データ及び応答信号を含むＰＵＳＣＨ信号が入力される。
【０１９９】
また、制御部２０８は、ＰＵＣＣＨ／ＰＵＳＣＨ多重部２２２に対して、ＤＦＴ部２２１から入力されるＰＵＳＣＨ信号（上り回線データ及び応答信号を含む信号）のみに対してＩＦＦＴ処理を行うように指示する。
【０２００】
これにより、図１３Ｃに示すように、端末２００は、上り回線データ及び下り単位バンド２で受信した下り回線データに対する応答信号を含むＰＵＳＣＨ信号を、上り単位バンド１のＰＵＳＣＨリソースで送信する。つまり、端末２００は、上り回線データ及び応答信号を、上り単位バンド２のＰＵＣＣＨ２を用いずに、上り単位バンド１のＰＵＳＣＨにおいて、時間軸上で多重（ＴＤＭ）して同一サブフレームで送信する。
【０２０１】
よって、端末２００は、１つの上り単位バンド（図１３Ｃでは上り単位バンド１）のみを用いて、上り回線データ及び応答信号を同一サブフレームで送信することが可能となる。
【０２０２】
ここで、図１３Ｃでは上り単位バンド１のＰＵＳＣＨリソースにマッピングされた上り回線データは、応答信号によってパンクチャされるため、上り回線データの品質が劣化してしまう。しかしながら、ＬＴＥ−Ａシステムでは、下り割当制御情報のエラー率（つまり、ＰＤＣＣＨのTarget BLER）は１％程度で運用されるため、エラーケース２（図１３Ｃ）が発生する状況は極めて少ない（エラーケース２の発生頻度：１％程度）。よって、実施の形態１と同様（図９Ｃ）、図１３Ｃに示すようなエラーケース２においてのみ、端末２００が上り回線データ及び応答信号を時間多重しても（つまり、上り回線データがパンクチャされても）、システム全体に及ぼす影響は極めて少ない。
【０２０３】
なお、図１３Ｃに示す端末２００の動作は、エラーケース２（図１３Ｃでは下り単位バンド１の下り割当制御情報の受信に失敗する場合）のみでなく、基地局１００が端末２００に対して下り単位バンド２のみで下り割当制御情報を送信する場合にも適用することができる。例えば、基地局１００は、下り単位バンド２にのみ下り回線データ（つまり、下り割り当て制御情報）を割り当て、上り単位バンド１にのみ上り回線データ（すなわち、上り割当制御情報）を割り当てる場合である。ただし、この場合、端末２００が全ての割当情報（下り単位バンド１で送信される上り割当制御情報及び下り単位バンド２で送信される下り割当制御情報）を正常に受信した場合、つまり、正常ケースにおいても、図１３Ｃに示すように、下り単位バンド２で送信された下り回線データに対する応答信号によって、上り単位バンドで送信される上り回線データがパンクチャされてしまう。したがって、一般的に、基地局１００は、端末２００に対して、一方の下り単位バンド（図１３Ｃでは下り単位バンド２）にのみ下り回線データを割り当てると同時に、他方の上り単位バンド（図１３Ｃでは上り単位バンド１）にのみ上り回線データを割り当てる運用を行わない。
【０２０４】
＜エラーケース３（図１３Ｄ）：端末２００が下り単位バンド１及び２で送信された下り割当制御情報のいずれも受信しなかった場合＞
【０２０５】
図１３Ｄに示すエラーケース３では、端末２００は、基地局１００が下り単位バンド１及び２で送信した下り割当制御情報の存在を知らず、下り回線データを受信できないため、送信すべきＡＣＫ／ＮＡＣＫ信号は存在しない。よって、端末２００は、実施の形態１（図９Ｄ）と同様、図１３Ｄに示すように、上り割当制御情報に基づいて、上り回線データの送信に用いるべき上り単位バンドとして、上り単位バンド１を特定する。
【０２０６】
そこで、制御部２０８は、応答信号／データ多重部２２０に対して、上り回線データと応答信号とを時間多重（ＴＤＭ）しないように指示する。また、制御部２０８は、ＰＵＣＣＨ／ＰＵＳＣＨ多重部２２２に対して、ＤＦＴ部２２１から入力されるＰＵＳＣＨ信号（上り回線データ信号を含む信号）のみに対してＩＦＦＴ処理を行うように指示する。
【０２０７】
これにより、図１３Ｄに示すように、端末２００は、上り回線データを含むＰＵＳＣＨ信号を、上り単位バンド１のＰＵＳＣＨリソースで送信する。
【０２０８】
以上、下り割当制御情報を含むＰＤＣＣＨ信号の受信成否に応じた端末２００における動作について説明した。
【０２０９】
一方、基地局１００の判定部１２２は、実施の形態１と同様にして、図１２において、下り単位バンド１及び２の各下り割当制御情報が示すＰＤＳＣＨリソースで送信した下り回線データに対する応答信号が、下り割当制御情報の送信に用いた下り単位バンド１及び２に対応する上り単位バンド１及び２のＰＵＣＣＨリソース（ＰＵＣＣＨ１及び２の構成リソース）、または、下り単位バンド１の上り割当制御情報が示すＰＵＳＣＨリソースに含まれるか否かを判定する。
【０２１０】
例えば、図１３Ａでは、基地局１００の判定部１２２は、下り単位バンド１で送信された上り割当制御情報が示すＰＵＳＣＨリソースが設けられた上り単位バンド１のＰＵＣＣＨ１に、下り単位バンド１で送信された下り回線データに対する応答信号が含まれていると判定する。また、図１３Ａでは、判定部１２２は、下り単位バンド１で送信された上り割当制御情報が示すＰＵＳＣＨリソースに、下り単位バンド２で送信された下り回線データに対する応答信号が含まれていると判定する。
【０２１１】
また、図１３Ｂでは、基地局１００の判定部１２２は、下り単位バンド１で送信された上り割当制御情報が示すＰＵＳＣＨリソースが設けられた上り単位バンド１のＰＵＣＣＨ１に、下り単位バンド１で送信された下り回線データに対する応答信号が含まれていると判定する。一方、図１３Ｃでは、基地局１００の判定部１２２は、下り単位バンド１で送信された上り割当制御情報が示すＰＵＳＣＨリソースに、下り単位バンド２で送信された下り回線データに対する応答信号が含まれていると判定する。
【０２１２】
つまり、基地局１００の判定部１２２では、実施の形態１と同様、上り回線データと応答信号とを同一サブフレームで受信する際には、上り回線データ及び複数の下り単位バンドで送信された下り回線データに対する各応答信号の双方は、同一の上り単位バンド（図１３Ａ〜図１３Ｃでは上り単位バンド１）で受信される。
【０２１３】
このようにして、端末２００は、複数の下り単位バンドで送信された下り回線データに対する各応答信号が送信されるべき上り単位バンドが、上り回線データが送信されるべき上り単位バンドと同一であるか否かに応じて、上り回線データ及び各応答信号を時間多重するか周波数多重するかを決定する。
【０２１４】
これにより、複数の応答信号が送信される場合（例えば、正常ケース（図１３Ａ））でも、端末２００は、応答信号によって上り回線データがパンクチャされる頻度を低減することができる。また、実施の形態１と同様、図１３Ｃに示すエラーケース２が発生する確率（ＰＤＣＣＨのTarget BLER）は、上述したように１％程度である。従って、１３Ａ〜図１３Ｄに示すように、本実施の形態では、正常ケース（図１３Ａ）の一部の応答信号、及び、エラーケース２（図１３Ｃ）のみで時間多重（ＴＤＭ）が使用される。そのため、時間多重（ＴＤＭ）の使用を最小限に抑えることができる。このため、端末２００では、上り回線データの品質劣化をほぼ抑えることができる。
【０２１５】
さらに、図１３Ａ〜図１３Ｃに示すように、上り回線データ及び複数の応答信号を同一サブフレームで送信する際には、端末２００は、常に１つの上り単位バンド（図１３Ａ〜図１３Ｃでは上り単位バンド１）のみを使用する。すなわち、端末２００は、上り回線データ及び応答信号を同一サブフレームで送信する場合でも、上り回線で使用する帯域を、上り回線データ（ＰＵＳＣＨ信号）の送信に必要最低限の上り単位バンドのみに抑えることができる。これにより、端末２００では、実施の形態１と同様、上り回線データ及び応答信号の送信時の消費電力を抑えることができる。
【０２１６】
また、図１３Ａ〜図１３Ｄに示すように、上り単位バンド１のＰＵＣＣＨリソース（ＰＵＣＣＨ１の構成リソース）が使用されるか否かに基づいて、基地局１００は、下り単位バンド１における下り割当制御情報のＤＴＸ判定（つまり、エラーケース２（図１３Ｃ）の特定）を行うことができる。これにより、下り割当制御情報の受信成否を通知するためのシグナリングオーバーヘッドの増加を抑えつつ、基地局側で下り割当制御情報の符号化率等の最適化を行うことができる。
【０２１７】
このように、本実施の形態によれば、応答信号の送信モードとしてNon-bundlingモードを適用した際に、Carrier aggregation時に上り回線データと、応答信号とを同時に送信する場合でも、端末の消費電力を抑えつつ、上り回線データの品質を向上させることができる。
【０２１８】
なお、本実施の形態では、１つの端末に対して、下り回線データが割り当てられる下り単位バンドの数が２つの場合について説明した。しかし、１つの端末に対して下り回線データが割り当てられる下り単位バンドの数が３つ以上であり、応答信号の送信モードとしてNon-bundlingモードが適用されている場合にも、本発明を適用することができる。さらに、端末は、下り単位バンドが３つ以上の場合、応答信号による上り回線データのパンクチャの頻度を低減するために、上り回線データと時間多重される複数の応答信号（つまり、上り回線データが送信される上り単位バンドと異なる上り単位バンドで送信されるべき応答信号）をBundlingして、Bundling後の応答信号（束ＡＣＫ／ＮＡＣＫ信号）によって上り回線データをパンクチャしてもよい。
【０２１９】
また、本実施の形態では、端末が１つの上り単位バンドのみで上り回線データを送信する場合について説明した。しかし、上り回線データが送信される上り単位バンド数は１つに限らず、端末が２つ以上の上り単位バンドで複数の上り回線データを送信するように指示された場合にも本発明を適用することができる。例えば、複数の上り単位バンドで複数の上り回線データを送信する場合でも、端末は、上り回線データを送信すべき上り単位バンドと同一の上り単位バンドに設けられたＰＵＣＣＨリソースで送信すべき応答信号に対して周波数多重（ＦＤＭ）を適用する。一方、端末は、上り回線データを送信すべき上り単位バンドと異なる上り単位バンドに設けられたＰＵＣＣＨリソースで送信すべき応答信号に対して時間多重（ＴＤＭ）を適用する。
【０２２０】
以上、本発明の各実施の形態について説明した。
【０２２１】
なお、上記実施の形態では、上り回線データと応答信号とが多重される場合について説明した。しかし、多重される信号は応答信号に限らず、上り回線データと他の上り制御信号とを多重する際にも、本発明を適用することができる。具体的には、応答信号以外の上り制御信号としては、例えば基地局と端末との間の下り伝搬路の品質を示すＣＱＩ（Channel Quality Indicator）、または、端末側で新たな上り回線データを送信する必要が発生した場合に、端末が基地局に対して上り回線リソースの割当を要求するためのＳＲ（Scheduling Request）等が挙げられる。
【０２２２】
また、上記実施の形態では、ＰＵＣＣＨリソースにおける１次拡散にＺＡＣ系列を用い、２次拡散に直交符号系列を用いる場合について説明した。しかし、本発明では、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、または、コンピュータによってランダムに生成された時間軸上での自己相関特性が急峻な系列等を１次拡散に用いてもよい。また、２次拡散には、互いに直交する系列、または、互いにほぼ直交すると見なせる系列であればいかなる系列を直交符号系列として用いてもよい。以上の説明では、ＺＡＣ系列の循環シフト量と直交符号系列の系列番号とによって応答信号のリソース（例えば、ＰＵＣＣＨリソース）が定義されている。
【０２２３】
また、上記実施の形態におけるＺＡＣ系列は、循環シフト処理を施すベースとなる系列という意味で、Base sequenceと称されることもある。
【０２２４】
また、上記実施の形態では、端末側の処理の順番として、１次拡散、２次拡散の後に、ＩＦＦＴ変換を行う場合について説明した。しかし、これらの処理の順番はこれに限定されない。すなわち、１次拡散及び２次拡散は共に乗算の処理であるので、１次拡散処理の後段にＩＦＦＴ処理がある限り、２次拡散処理の場所はどこにあっても等価な結果が得られる。
【０２２５】
また、上記実施の形態における拡散部（１次拡散部、２次拡散部）は、或る信号に系列を乗算する処理を行うので、乗算部と称されることもある。
【０２２６】
また、上記実施の形態では、本発明をハードウェアで構成する場合を例にとって説明したが、本発明はソフトウェアで実現することも可能である。
【０２２７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２２８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２２９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３０】
２００９年６月９日出願の特願２００９−１３８６１０の日本出願に含まれる明細書、図面および要約書の開示内容は、すべて本願に援用される。
【産業上の利用可能性】
【０２３１】
本発明は、移動体通信システム等に適用することができる。
【符号の説明】
【０２３２】
１００  基地局
２００  端末
１０１，２０８  制御部
１０２  制御情報生成部
１０３，１０５  符号化部
１０４，１０７，２１４，２１７  変調部
１０６  データ送信制御部
１０８  マッピング部
１０９  ＩＦＦＴ部
１１０，２２３  ＣＰ付加部
１１１，２２４  無線送信部
１１２，２０１  無線受信部
１１３，２０２  ＣＰ除去部
１１４  ＰＵＣＣＨ／ＰＵＳＣＨ分離部
１１５，１２０  逆拡散部
１１６  系列制御部
１１７  相関処理部
１１８  ＩＤＦＴ部
１１９  応答信号分離部
１２１  復調／復号部
１２２，２０７  判定部
１２３  再送制御信号生成部
２０３  ＦＦＴ部
２０４  抽出部
２０５，２０９  復調部
２０６，２１０  復号部
２１１  ＣＲＣ部
２１２  ＡＣＫ／ＮＡＣＫ制御部
２１３  上り制御チャネル信号生成部
２１５  １次拡散部
２１６  ２次拡散部
２１８  拡散部
２１９  符号化／変調部
２２０  多重部
２２１  ＤＦＴ部
２２２  ＰＵＣＣＨ／ＰＵＳＣＨ多重部
【図１】
2010143419.tif 000003
【図２】
2010143419.tif 000004
【図３】
2010143419.tif 000005
【図４】
2010143419.tif 000006
【図５】
2010143419.tif 000007
【図６】
2010143419.tif 000008
【図７】
2010143419.tif 000009
【図８】
2010143419.tif 000010
【図９】
2010143419.tif 000011
【図１０】
2010143419.tif 000012
【図１１】
2010143419.tif 000013
【図１２】
2010143419.tif 000014
【図１３】
2010143419.tif 000015
【国際調査報告】
2010143419.tif 000016
2010143419.tif 000017